(57)【要約】ホスト管理システムを備え、第三者サービス提供業者からのサービスを使用して顧客運送のためにコンテナを追跡するためのシステムが開示される。ホスト管理システムによって、第三者サービス提供業者および顧客は、運送および／またはサービス用の選好を含む情報を含むアカウントを入力することができる。顧客は、ネットワークインターフェースを通してホスト管理システムにログインして、運送注文に入力する。ホスト管理システムによって顧客は、運送に関する情報を提供することができ、運送を実施することができ且つもしあれば第三者サービス提供業者から特別なサービスが必要であることを確かめる。顧客は、自己の第三者サービス提供業者を選ぶか、または、ホスト管理システムに予め制定した関係を有する第三者サービス提供業者に見積もりを要求することができる。ホスト管理システムは、追跡情報および運送に関する他の情報を受け取り、顧客および顧客運送用のサービスを提供する第三者サービス提供業者に運送状態を自動的に通知し、そのため、必要ないずれの適切な行動が報告され且つ／または取られることができる。
2004504993.tif 000002
【特許請求の範囲】
【請求項１】
運送に使用されるコンテナを追跡するための管理システムであって、ホスト管理システムを備え、前記ホスト管理システムは、
（ｉ）格納し、
（ｉｉ）前記コンテナから追跡情報を受け取り、
（ｉｉｉ）ユーザに前記追跡情報を自動的に通知する
ように適合される管理システム。
【請求項２】
コンテナに関する情報を遠隔サイトへ通信するように適合された装置であって、
前記コンテナに関するコンテナ情報を受け取るように適合される制御システムと、
前記制御システムに接続され、前記コンテナ情報および前記コンテナの識別を前記遠隔サイトへ発信するトランスミッタと、
を備える装置。
【請求項３】
全地球測位システムから位置決め情報を受け取り、前記コンテナの場所を判断し、前記位置決め情報を受け取り、前記遠隔サイトへ通信するように適合されたレシーバをさらに備える請求項２に記載の装置。
【請求項４】
前記コンテナ情報は、温度、圧力および湿度からなる群から構成される請求項２に記載の装置。
【請求項５】
コンテナ破損に関する情報を遠隔サイトへ通信するように適合された装置であって、
前記コンテナ内の破損を検出するように適合される制御システムと、
全地球測位システムから位置決め情報を受け取り、前記コンテナの場所を判断するように適合されたレシーバと、
前記制御システムに接続され、前記検出された破損、前記コンテナの識別および前記コンテナの位置決め情報を前記遠隔サイトへ発信するトランスミッタと、
を備える装置。
【請求項６】
コンテナ情報を遠隔サイトへ通信するように適合された通信システムであって、
コンテナと、
前記コンテナに取り付けられ、前記コンテナに関するコンテナ情報を受け取るように適合される制御システムと、
前記制御システムに接続され、前記コンテナ情報および前記コンテナの識別を前記遠隔サイトへ発信するトランスミッタと、
を備える通信システム。
【請求項７】
前記コンテナは温度制御される請求項６に記載の通信システム。
【請求項８】
前記コンテナ情報は、温度、圧力および湿度からなる群から構成される請求項６に記載の通信システム。
【請求項９】
コンテナ破損に関する情報を遠隔サイトへ通信するように適合された通信システムであって、
コンテナと、
前記コンテナに取り付けられ、前記コンテナ内の破損を検出するように適合される制御システムと、
全地球測位システムから位置決め情報を受け取り、前記コンテナの場所を判断するように適合されたレシーバと、
前記制御システムに接続され、前記検出された破損、前記コンテナの識別および位置決め情報を前記遠隔サイトへ発信するトランスミッタと、
を備える通信システム。
【請求項１０】
コンテナから情報を受け取るように適合されるホスト管理システムであって、
サーバと、
前記サーバに接続され、前記コンテナから前記コンテナの識別およびコンテナ情報を受け取るように適合されたレシーバと、
前記サーバに接続され、指令情報を前記コンテナへ発信するように適合されたトランスミッタと、
を備えるホスト管理システム。
【請求項１１】
コンテナ情報は、温度、圧力および湿度からなる群から構成される請求項１０に記載のホスト管理システム。
【請求項１２】
前記サーバに接続され、前記サーバによって実行されるプログラムを格納するデータ格納をさらに備える請求項１０に記載のホスト管理システム。
【請求項１３】
前記プログラムはアカウント設定プログラムである請求項１２に記載のホスト管理システム。
【請求項１４】
前記アカウント設定プログラムは、顧客アカウントを設定するように適合されたプログラムである請求項１３に記載のホスト管理システム。
【請求項１５】
前記アカウント設定プログラムは、コンテナの運送に関する顧客選好を受け取り、前記データ格納に格納するように適合される請求項１４に記載のホスト管理システム。
【請求項１６】
前記顧客選好は、報告用のＩＰアドレス、保険会社、保険アカウント、金融会社、金融会社アカウント、運送会社、運送方法、コンテナ型、関税取扱、再ルートづけを可能にすること、示唆的販売を可能にすること、保険会社に見積もりを要求すること、保険会社見積もり額、金融会社に見積もりを要求すること、金融会社見積もりおよび運送見積もりからなる群から構成される請求項１５に記載のホスト管理システム。
【請求項１７】
前記アカウント設定プログラムは、第三者提供業者サービスがコンテナ運送のために顧客に提供されるのを可能にするように適合された第三者提供業者アカウント設定プログラムである請求項１３に記載のホスト管理システム。
【請求項１８】
前記第三者提供業者アカウントプログラムは、顧客によって運送されるコンテナに保険を提供するための保険会社アカウント設定プログラムである請求項１７に記載のホスト管理システム。
【請求項１９】
前記保険会社アカウント設定プログラムは、保険会社選好をデータ格納に格納するように適合される請求項１８に記載のホスト管理システム。
【請求項２０】
前記保険会社選好は、保険をかけられない品物の種類、顧客の最小信用格付け、特定の国の外部へ運送される品物に保険をかけること、顧客への示唆的レートの提供、および、コンテナ配達の自動通知からなる群から構成される請求項１９に記載のホスト管理システム。
【請求項２１】
前記第三者提供業者アカウントプログラムは、運送注文用に顧客によって使用される運送コンテナを選ぶための運送コンテナ会社アカウント設定プログラムから構成される請求項１７に記載のホスト管理システム。
【請求項２２】
前記運送コンテナ会社アカウント設定プログラムは、運送コンテナ会社選好をデータ格納に格納するように適合される請求項２１に記載のホスト管理システム。
【請求項２３】
前記運送コンテナ会社選好は、提供された特別なコンテナ型および提供されたコンテナのサイズからなる群から構成される請求項２２に記載のホスト管理システム。
【請求項２４】
前記第三者提供業者アカウントプログラムは、顧客にコンテナの運送を提供する運送会社アカウント設定プログラムから構成される請求項１７に記載のホスト管理システム。
【請求項２５】
前記運送会社アカウント設定プログラムは、運送会社選好をデータ格納に格納するように適合される請求項２４に記載のホスト管理システム。
【請求項２６】
前記運送会社選好は、運送のための時間、運送されない材料の種類、顧客への保険の提供、運送されることができる最大重量および運送されることができるコンテナの最大サイズからなる群から構成される請求項２５に記載のホスト管理システム。
【請求項２７】
前記第三者提供業者アカウントプログラムは、顧客によって運送されるコンテナに融資を提供するための金融会社アカウント設定プログラムから構成される請求項１７に記載のホスト管理システム。
【請求項２８】
前記運送コンテナ会社アカウント設定プログラムは、金融会社選好をデータ格納に格納するように適合される請求項２７に記載のホスト管理システム。
【請求項２９】
前記金融会社選好は、融資するための最小顧客信用格付けから構成される請求項２８に記載のホスト管理システム。
【請求項３０】
前記第三者提供業者アカウントプログラムは、顧客によって運送されるコンテナに関税取扱を提供するための関税アカウント設定から構成される請求項１７に記載のホスト管理システム。
【請求項３１】
前記関税アカウント設定プログラムは、関税選好をデータ格納に格納するように適合される請求項３０に記載のホスト管理システム。
【請求項３２】
前記関税選好は、取り扱われる原産国および取り扱われる目的国からなる群から構成される請求項３１に記載のホスト管理システム。
【請求項３３】
前記プログラムは、顧客運送注文入力プログラムから構成される請求項１２に記載のホスト管理システム。
【請求項３４】
前記顧客運送注文入力プログラムは、第三者サービス提供業者にサービスの見積もりを要求する請求項３３に記載のホスト管理システム。
【請求項３５】
前記顧客運送注文入力プログラムは、品物の運送のために顧客へ追加サービスを提案するように適合される請求項３３に記載のホスト管理システム。
【請求項３６】
前記顧客運送注文入力プログラムは、前記入力プログラムに顧客によって入力されたデータに基づいて、ディスカウントを提供するように適合される請求項３３に記載のホスト管理システム。
【請求項３７】
前記プログラムは、モニタリングプログラム、報告プログラム、請求プログラムおよびアカウント修正プログラムからなる群から構成される請求項１２に記載のホスト管理システム。
【請求項３８】
前記プログラムは、前記コンテナがスケジュールから外れている場合には、再ルートづけスケジュールを前記コンテナへ通信するように適合される請求項１２に記載のホスト管理システム。
【請求項３９】
コンテナ情報にアクセスするために前記サーバへ接続されたクライアントシステムをさらに備え、
前記サーバはコンテナ情報を前記クライアントシステムへ通信するように適合された請求項１０に記載のホスト管理システム。
【請求項４０】
前記クライアントシステムは、情報要求をコンテナに関連する前記サーバへ通信するように適合される請求項３９に記載のホスト管理システム。
【請求項４１】
前記サーバおよび前記クライアントシステムは、マークアップ言語を使用して互いに通信する請求項４０に記載のホスト管理システム。
【請求項４２】
前記サーバおよび前記クライアントシステムは、インターネットを通して互いに通信する請求項４０に記載のホスト管理システム。
【請求項４３】
前記マークアップ言語は、データ型アウェアマークアップ言語から構成される請求項４０に記載のホスト管理システム。
【請求項４４】
コンテナに関するクライアントシステムに通信するためにマークアップ言語データを準備するために前記サーバに接続されたマークアップ言語プロセッサをさらに備える請求項４０に記載のホスト管理システム。
【請求項４５】
前記コンテナ情報が前記サーバによって受け取られるときに、前記サーバは前記通信情報を前記クライアントシステムにリアルタイムで通信する請求項３９に記載のホスト管理システム。
【請求項４６】
コンテナの運送および追跡のためのプログラムを格納するためにサーバ上で実行するコンピュータソフトウェア媒体であって、
顧客情報をおよび顧客選好を格納するために顧客アカウントを設定するアカウント設定プログラムと、
コンテナ用の顧客運送注文を入力するための運送注文入力プログラムと、
コンテナによってサーバへ通信されたコンテナ情報にアクセスするためのモニタリングプログラムと、
を備えるコンピュータソフトウェア媒体。
【請求項４７】
前記コンテナ情報は前記サーバへリアルタイムに通信される請求項４６に記載のコンピュータソフトウェア媒体。
【請求項４８】
前記コンテナへ指令を通信してその温度を変える修正プログラムをさらに備える請求項４７に記載のコンピュータソフトウェア媒体。
【請求項４９】
運送中にコンテナの温度を調整する方法であって、
実際の温度および前記コンテナの識別を受け取るステップと、
前記コンテナの前記識別に基づいてメモリから前記コンテナ用の所望の温度を判断するステップと、
前記所望の温度設定を前記コンテナへ通信するステップと、
を含む方法。
【請求項５０】
通信することは、前記実際の温度が前記所望の温度とは異なる場合に、前記所望の温度設定を前記コンテナへ通信することをさらに含む請求項４９に記載の方法。
【請求項５１】
前記サーバから温度および識別をクライアントシステムへ通信するステップをさらに含む請求項４９に記載の方法。
【請求項５２】
前記コンテナの前記所望の温度設定を前記クライアントシステムから受け取るステップと、
前記所望の温度設定を前記サーバに接続されたメモリに格納するステップと、
をさらに含む請求項４９に記載の方法。
【請求項５３】
コンテナを運送し追跡するために、顧客がホスト管理システムにアカウントを設定することを可能にする方法であって、
クライアントシステムを使用してサーバにログインするステップと、
前記サーバ上でアカウント設定プログラムを実行するステップと、
コンテナの運送用の顧客情報を前記アカウント設定プログラムに入力するステップと、
コンテナ運送注文中に、前記顧客情報および選好を、後に検索するために前記サーバに接続されたメモリに格納するステップと、
を含む方法。
【請求項５４】
前記入力することは、コンテナの運送用の顧客選好を前記アカウント設定プログラムに入力することをさらに含む請求項５３に記載の方法。
【請求項５５】
コンテナの運送のためにホスト管理システムを使用して顧客へ追加サービスを提案する方法であって、
コンテナ運送注文に関する運送注文プログラムに前記顧客によって入力された情報を受け取るステップと、
前記運送注文プログラムに入力された情報に基づいて前記顧客に追加運送サービスを提案するステップと、
を含む方法。
【請求項５６】
運送用のコンテナを再ルートづける方法であって、
前記コンテナの温度を受け取るステップと、
前記温度を、メモリに格納された前記コンテナ用の受容可能な温度範囲と比較するステップと、
前記温度が前記受容可能な温度範囲外であるならば前記コンテナを再ルートづけるステップと、
を含む方法。
【請求項５７】
前記再ルートづけは、前記温度が前記受容可能な温度範囲より上であるならば、前記コンテナをより北のルートに再ルートづけることを含む請求項５６に記載の方法。
【請求項５８】
前記再ルートづけは、前記温度が前記受容可能な温度範囲より下であるならば、前記コンテナをより南のルートに再ルートづけることを含む請求項５６に記載の方法。
【請求項５９】
運送されたコンテナに関する情報を第三者サービス提供業者に自動的に通信する方法であって、
運送中に前記コンテナからコンテナ情報および識別情報を受け取るステップと、
前記コンテナに関連するメモリに格納された第三者サービス提供業者の通信アドレスを調べるステップと、
前記コンテナ情報を受け取るとすぐに、前記コンテナ情報を前記第三者サービス提供業者へ自動的に通信するステップと、
を含む方法。
【発明の詳細な説明】
【０００１】
（発明の分野）
本発明は、品物を運送するための追跡および実務管理を提供するためのシステムおよび方法に関する。
【０００２】
（発明の背景）
多くの運送会社は、品物および材料用の運送サービスを提供する。加えて、これらの運送会社は、運送された品物を収容するコンテナに追跡情報をつけてもよく、そのため、運送中に様々な点でコンテナを追跡することができる。マーキングの１つの共通の型はバーコードであり、バーコードはコンテナの外側に配置され、光学読取器によって走査される。これによって運送会社は、コンテナが原産地と目的地との間を動くときに、その最後の地理的場所を判断することができ、コンテナ内部の品物が時間通りか遅れているか、または場所を誤っているかをモニタすることができる。
【０００３】
運送用のコンテナを追跡することは、数種類の理由で有利である。たとえば、コンテナは、誤ったルートで送られることもあり、または、誤った航空線に配置されてその目的地に到達することもある。コンテナの旅程中にユニットによって読み取られる情報をコンテナが含むため、コンテナの最後の場所を確認することができる。品物の位置を追跡する利点は多く、したがって、運送業界を通して一般的になっている。
【０００４】
しかし、そのような追跡システムは、コンテナのリアルタイムの場所を追跡することはできず、コンテナに関する状態情報を受け取ることができない。最新式のコンテナは、温度、湿度および圧力等のパラメータを管理するために機上に管理ユニットを有するものもある。地理的位置を判断するために、電磁気および／または無線周波数信号等の様々な種類の通信信号を発信し受信する追跡装置がコンテナに取り付けられる。
【０００５】
さらに、追跡装置は複雑なソフトウェア追跡システムを有し、これは、コンテナを追跡し続けることによって運送品の場所に関する情報を保つ。コンテナ情報は、顧客によってアクセスされるために、ソフトウェア追跡システムに報告される。しかし、情報システムおよびデータ転送では絶えず改良がなされているため、そのようなソフトウェア追跡システムを改良することは可能であり、そのため、運送に関する様々な補助的サービス用の１つのセッションに運送注文を出すことができるように、複数の第三者サービス提供業者へのアクセスを含む。
【０００６】
したがって、本発明の目的は、第三者サービス提供業者にリンクすることができ、運送のための補助的サービスを顧客に提供し、そのような第三者供給業者が、様々な理由のためにそのサービスを含むそのような運送へアクセスを得ることを可能にする、品物および材料を運送するのに使用されるコンテナ用のソフトウェア追跡システムおよび方法を提供することである。
【０００７】
（発明の要約）
本発明は、顧客が運送注文入力をすることができる管理システムに関する。管理システムは、ネットワーク接続によって、または他の方法でたとえばモデムまたは周波数通信によって、遠隔場所からアクセス可能であるソフトウェアシステムであることが好ましい。
【０００８】
追跡および通信装置を備えたコンテナが、運送に使用される。追跡装置は、コンテナの場所に関する信号を受け取るように適合され、それによって、そのような場所および他の状態情報、たとえば、コンテナの温度、湿度および圧力を管理システムへ通信する。
【０００９】
顧客は、顧客についての情報および運送の選好に関する情報を備えたアカウントを予め制定する。顧客は、管理システムにログインして、運送の要求を出す。顧客は、管理システムと相互作用して、運送の原産地および目的地、および、運送のための他のいずれかの特別取扱必要条件等の情報を示すそのような注文を出す。顧客は、管理システムを使用して、保険、金融、特別なコンテナ、運送提供業者および関税取扱等の運送に関する補助サービスをアレンジすることができ、そのため、顧客は、他のシステムおよび会社と相互作用することによってそのようなサービスのためにアレンジする必要はない。
【００１０】
管理システムは、そのような情報を使用して、確認のために顧客に呈する運送可能性を判断する。管理システムは、運送自体に関するそのようなサービスを提供することができるか、または、予め規定されたアカウントからの情報を使用することによって、第三者サービス提供業者からの情報を使用することができる。管理システムは、そのようなアカウントからの情報を使用して、サービスを提供するためにどの第三者サービス提供業者に問い合わせるかを判断する。第三者サービス提供業者は、顧客によって規定された運送および他の情報に基づいて、運送注文の一部として顧客に提供される。管理システムは、顧客が注文を確認するのを可能にし、運送を含むすべてのサービスのためのコストのアカウンティングを含み、管理システムは運送処理を開始する。追跡番号は運送品に取り付けられ、コンテナ（単／複）は運送品を保持し、そのため、運送品を追跡することができる。この追跡番号は、追跡目的のために顧客運送に含まれるいずれの第三者サービス提供業者にも通信される。
【００１１】
ひとたびコンテナが旅程を開始すると、その位置決め情報および状態を管理システムへ通信する。管理システムは、コンテナ情報に基づいて運送品に関する情報を更新し、自動通知を顧客および／または運送に関する第三者サービス提供業者へ送る。また、顧客および／または第三者サービス提供業者は、自発的に管理システムにログインして、運送品の場所および状態をチェックすることができる。
【００１２】
（発明の詳細な説明）
下記の説明において、同一の参照符号は、数枚の図面を通じて同一のまたは対応する部品を示す。また、下記の説明において、「前方」、「後方」、「左」、「右」、「上方」、「下方」等の用語は、便宜上の単語であり、限定する用語として解釈されるべきではないと理解されるべきものである。
【００１３】
コンテナ、追跡装置および位置決め
今、図面を参照すると、例示は、本発明の好ましい実施形態を説明するためのものであり、本発明をそれに限定する意図はないことが理解される。
【００１４】
図１に例示されるように、エンビロテナー・グループ企業によって製造され配送されるコンテナ等の、航空機の貨物室に特に適切であるコンテナ１０が設けられる。運送処理中にその地理的位置を判断するためにコンテナ１０には追跡装置１００が取り付けられる。追跡装置１００は、コンテナ１０内の内側に配置されてもよく、または、追跡装置１００は、外側表面上に位置決めされてもよい。コンテナ１０は、運送処理のために航空機等の輸送乗物に配置されてもよい。２０００年４月４日に出願された発明の名称「輸送乗物貨物室に近接したコンテナを検出するための方法および装置」の米国特許出願第０９／５４２，７７２号には、コンテナの場所を報告する追跡装置を備えたそのようなコンテナが開示されている。
【００１５】
コンテナ１０は、運送されている材料および品物の種類に依存して様々な形態を取ってもよい。コンテナ１０は、断熱包装、ドライアイス２０を使用する冷却ユニット、および、冷却および加熱システムを備えたサーモスタット装備コンテナ３０の範囲の温度感性材料を提供するように製造されてもよい。多量のコンテナ、および、多くの異なる種類の輸送乗物、たとえば、航空機、船舶および列車があり、これらはすべて本発明に適用可能であることを当業者は理解する。
【００１６】
追跡装置１００が、図２に概略的に例示される。制御システム１０１は、メモリ１０４、入力／出力インターフェース１０６およびタイマー回路１０８に作用的に接続されたマイクロプロセッサ１０２を含む。マイクロプロセッサ１０２は、入力／出力インターフェース１０６を通して制御システム１０１外部の装置にインターフェースする。マイクロプロセッサ１０２が、時間に基づいた指令または操作を実行する必要がある場合には、マイクロプロセッサ１０２はタイマー回路１０８を使用する。
【００１７】
追跡装置１００は、レシーバ１１８も含み、これは、全地球測位システム（ＧＰＳ）レシーバ１１８とも称され、この２つの用語はここでは交換可能に使用される。ＧＰＳレシーバ１１８は、追跡装置１００の場所、したがって、コンテナ１０の場所を表す位置決め情報を含む電子信号を受け取る。ＧＰＳレシーバ１１８は、位置決め情報以外の他の種類の遠隔発信を受け取るように構成されてもよく、それによって、情報受信能力を提供する。位置決めシステム１１８の１つの例が、米国特許第５，６４８，７６３号に記載されており、その全体をここに参照として組み込むものとする。
【００１８】
位置決め情報は、入力／出力インターフェース１０６を通してマイクロプロセッサ１０２によって受け取られる。マイクロプロセッサ１０２は、位置決め情報をメモリ１０４に格納してもよい。マイクロプロセッサ１０２は、ＧＰＳレシーバ１１８から受け取ったコンテナ１０の場所に関する位置決め情報を、トランスミッタ１１２へ遠隔的に送ってもよい。トランスミッタ１１２は、位置決め情報および／またはコンテナ１０に関する他の情報を、遠隔サイト１３０へまたは他の種類のホストコンピュータへ通信する。トランスミッタ１１２は、電話モデム等のワイヤ通信によって位置決め情報を発信してもよく、または、携帯電話モデムを使用することによってワイヤレスでそのような情報を発信してもよい。あるいは、トランスミッタ１１２は、位置決め情報を遠隔サイト１３０へ、衛星または無線装置等の装置への周波数通信信号の形態で送り出してもよい。
【００１９】
図３は、適切なレシーバを装備したユーザに、高度に正確な位置、速度および時間（ＰＶＴ）情報を提供するために、宇宙基盤の無線位置決めネットワークとしてのＧＰＳシステム２００の１つの実施形態を例示する。ＧＰＳシステム２００の例示された宇宙基盤の実施形態は、地球のまわりに地球から見て不同ではない１２時間軌道にＧＰＳ衛星２０１の星位を含む。ＧＰＳ衛星２０１は、６つの軌道平面２０２に位置し、各平面にＧＰＳ衛星２０１の４つがあり、冗長性のためにさらに複数の「軌道上の」予備衛星（図示せず）がプラスされる。
【００２０】
ＧＰＳ位置判断は、時間到着（ＴＯＡ）測距と称される概念に基づく。軌道を周回するＧＰＳ衛星２０１の各々は、位置決めデータおよび衛星天文歴情報がエンコードされたスペクトル拡散マイクロ波信号を送信する。信号は、正確に知られた時間で且つ正確に知られた間隔で、基本的に２つの周波数で送信される。信号は、発信の正確な時間がエンコードされる。
【００２１】
追跡装置１００は、ＧＰＳレシーバ１１８で信号を受け取る。ＧＰＳレシーバ１１８は、信号の時期を選び且つ信号に含まれるＧＰＳ衛星２０１の軌道データを復調するように設計される。軌道データを使用して、ＧＰＳレシーバ１１８は、ＧＰＳ衛星２０１による信号の発信とＧＰＳレシーバ１１８による受信との間の時間を判断する。これに光の速度を掛けると、その衛星の「疑似範囲測定」と称されるものが得られる。ＧＰＳレシーバ１１８内の時計が完璧であれば、これはそのＧＰＳ衛星２０１用の範囲測定であるが、時計が完璧ではないため、実際の時間とレシーバ時間との間の時間のずれによって差が生じる。したがって、測定は、範囲ではなく疑似範囲と呼ばれる。しかし、時間のずれは、すべての衛星の疑似範囲測定に共通である。４つまたはそれ以上のＧＰＳ衛星２０１の疑似範囲を判断することによって、ＧＰＳレシーバ１１８は、三次元におけるその位置および時間のずれを判断することができる。したがって、適切なＧＰＳレシーバ１１８を装備したユーザは、自分のＰＶＴを非常に正確に判断することができる。３つまたはそれ以上の衛星信号を受信するときには、本発明のＧＰＳレシーバ１１８は位置決め情報を正確に判断するが、ＧＰＳレシーバ１１８は、２つまたはそれ以下のＧＰＳ衛星２０１からの位置決め情報から、場所を首尾よく判断することも依然として可能である。この技術は、米国特許第６，０３１，４８８号に開示されたもの等からよく知られており、その全体をここに参照として組み込むものとする。
【００２２】
追跡装置１００は、ローカルアクセスポート１２２も含む。適切なソフトウェアを備えたラップトップコンピュータ等の計算装置が、下記に記載される理由のためローカルアクセスポート１２２へ接続することによって、追跡装置１００に電子的にアクセスすることができる。
【００２３】
追跡機能を実行するために、電力システム１１０が追跡装置１００の構成要素に電力を供給する。電力システム１１０は追跡装置１００内に含まれ、そのため、追跡装置１００が外部電力源の存在内にあるか否かにかかわらず、追跡機能は作動することができるが、ひとたびコンテナ１０が航空機５０に積み込まれるのであれば、電力システム１１０は航空機電力へ接続されてもよい。マイクロプロセッサ１０２は、電力システム１１０の配電を制御することによって、追跡装置１００内のどの装置が電力を受け取るかを制御する。
【００２４】
システム構成
図４に例示されるように、本発明は、コンテナ（単／複）１０に関する情報を集めるホスト管理システム３００を含む。ホスト管理システム３００は、コンテナ（単／複）１０に関する異なる情報を収集して、下記により詳細に説明されるように様々な機能を提供する。ホスト管理システム３００は、これも下記により詳細に説明されるが、クライアントシステム３３０によるこの情報、および、他のコンピュータシステムへの遠隔アクセスも可能にする。上記に先に説明された遠隔サイト１３０は、ここに説明されるホスト管理システム３００である。
【００２５】
ホスト管理システム３００は、追跡システム３０８をインターフェースするホストサーバ３０２を含み、位置決め情報、および、温度、湿度または圧力等のコンテナ１０に関する他の情報（今後は集約的に「コンテナ情報」と称される）を受け取り、指令および他の情報をコンテナ（単／複）１０に発信し戻す。追跡システムは、レシーバ装置３１０を含み、コンテナトランスミッタ１１２によって発信されたコンテナ情報を受け取り、それによって、そのようなコンテナ情報が次いでサーバ３０２へ転送される。追跡システム３０８もトランスミッタ３１２を含み、サーバ３０２から情報および指令をコンテナ（単／複）１０へ、所望によりコンテナレシーバ１１８へ発信し戻す。トランスミッタ３１２は、情報をコンテナ（単／複）１０へ中継するために上記図３に記載の衛星システムを使用しても良く、または、モデム等の他の遠隔通信または他の電子または周波数通信を使用しても良い。
【００２６】
ホスト管理システム３００は、データ格納設備３０６も含み、サーバ３０２が、コンテナの情報および操作中に使用される他のシステム情報を格納し且つ検索するのを可能にする。データ格納設備３０６は、データが永久的に失われないのを確実にするために、テープドライバまたは他の格納媒体の使用を通して、サーバによって定期的にバックアップされる不揮発性メモリであることが好ましい。
【００２７】
図５は、サーバ３０２が、認可されたクライアントシステム３３０とどのように相互作用し、ホスト管理システム３００へのアクセスを獲得し、コンテナ情報を確認し且つ下記により詳細に説明されるように様々な他の機能を提供するのかを例示する。好ましい実施形態において、ホスト管理システム３００は、インターネットの使用を通して、クライアントシステム３３０と情報を交換する。ホストサーバ３０２は、クライアントシステム３３０によって受け取られるためにマークアップ言語でクライアントシステム３３０へ情報を発信することができる。クライアントシステム３３０は、クライアントブラウザ３３３も含み、これは、人の相互作用によってＸＭＬフォーマットデータにアクセスしこれを表すために、クライアントサーバ３３２に作用的に関連される。
【００２８】
同様に、サーバ３０２は、クライアントシステム３３０から正式のマークアップ言語の情報を受け取ることができる。この種類のシステムデータ転送では、ハイパーテキスト転送プロトコル（ＨＴＴＰ）等の伝送制御プロトコル／インターネットプロトコル（ＴＣＰ／ＩＰ）ネットワーキングおよびサービスをサーバ３０２およびクライアントシステム３３０に埋め込み、それらが、ハイパーテキストマークアップ言語（ＨＴＭＬ）等のマークアップ言語準拠ウェブブラウザを経由して通信することができることが普通である。これは、数種類の理由で有利である。第１に、サーバ３０２およびクライアントシステム３３０は、直接接続インターフェースを使用する多くのウェブブラウザアプリケーションによって、直接且つ局所的に管理することができ、ポイントツーポイントプロトコル（ＰＰＰ）を含むがそれに限定されず、それによって、ポータブル計算装置で普通に見られる標準ＲＳ−２３２準拠シリアルインターフェースによってＴＣＰ／ＩＰ通信が可能になる。第２に、そのような装置の遠隔管理は、ＴＣＰ／ＩＰインターフェースを提供する限り、インターネットを含むいずれのネットワークによって達成可能である。
ＨＴＭＬは、主としてデータの視覚的表示のために設計されており、そのフォーマッティングは、可能であれば共通点のないデータ項目から構成される情報と組み合わせて、関連フォーマッティング「タグ」を有するテキストの１つまたはそれ以上のストリングにする。これらのタグは、対応するデータがどのように視覚ディスプレイ用にフォーマットされるべきかを規定するが、テキストのストリングによって表される基礎をなすデータの種類に関する意味は提供しない。本発明では、ホスト管理システム３００およびクライアントシステム３３０は、両者の間で転送される情報が、データの種類およびその意味に関して特定して識別されることができるように、効率的に且つインタラクティブベースで通信することができることが望ましい。ＨＴＭＬの使用は、この通信を提供するために使用されるが、ＨＴＭＬは、埋め込まれたデータ型の情報を含まないという制限のために、本発明の好ましい実施形態のデータ転送の種類を提供することはできない。
【００２９】
したがって、好ましい実施形態は、拡張マークアップ言語（ＸＭＬ）と呼ばれる、データ型アウェア情報転送を備えて設計されたより新しい世代のマークアップ言語を使用する。データ型アウェアＸＭＬタグは、関連データを規定し、複雑なデータ構造を規定するように拡張されてもよい。ＸＭＬフォーマットデータは、スタートタグ、エンドタグおよび介在データによって示される１つまたはそれ以上の「要素」を備える。スタートタグおよびエンドタグはそれらの間のデータを説明し、一方、データ自体は要素の値を規定する。したがって、コンテナ１０の位置決め情報に関するＸＭＬ要素は「＜ｃｏｎｔａｉｎｅｒＩＤ＞３４５６８７９０４＜／ｃｏｎｔａｉｎｅｒＩＤ＞」と表されてもよい。ここで、「＜ｃｏｎｔａｉｎｅｒＩＤ＞」はスタートタグを表し、「＜／ｃｏｎｔａｉｎｅｒＩＤ＞」はエンドタグを表し、要素「ｃｏｎｔａｉｎｅｒＩＤ」は、コンテナ１０の識別番号を表す値「３４５６８７９０４」を有する。また、要素は、１つまたはそれ以上の属性を含むことができる。したがって、＜ｃｏｎｔａｉｎｅｒＩＤ ｔｙｐｅ＝”Ｅｎｖｉｒｏｔａｉｎｅｒ”＞３４５６８７９０４＜／ｃｏｎｔａｉｎｅｒＩＤ＞は、特定の識別３４５６８９０４を備えたコンテナ１０用のコンテナ型属性を規定する。要素は、下記の例に示されるようにより複雑なデータ構造物を形成するために、入れ子になっていてもよい。
【００３０】
2004504993.tif 000003
上記ＸＭＬは、より大きな「ｃｏｎｔａｉｎｅｒｓ（複数のコンテナ）」要素の１つの「ｃｏｎｔａｉｎｅｒｓ（単数のコンテナ）」要素を例示する。要素「ｃｏｎｔａｉｎｅｒｓ」は、いずれの数の個別のコンテナ項目を含んでもよい。「ｃｏｎｔａｉｎｅｒｓ」構造を構文解析して個別の「ｃｏｎｔａｉｎｅｒ」項目を抽出することは単に、スタートタグおよびエンドタグに基づいて設定された全体的データを構文解析することを必然的に伴う。このもっとも簡略な例から、そのようなコンピュータシステムの一方または両方によってさらに処理するために、そのデータを機械またはバイナリフォーマットに変換しなければならないときに、データ転送に加えられるようなＸＭＬの有用性を当業者はたやすく認識する。
【００３１】
このようにして、ＸＭＬフォーマットデータを受け取るホスト管理システム３００またはクライアントシステム３３０のいずれかが、ＸＭＬタグを処理することに基づいて、１つのデータ項目を次のデータ項目から容易に描写することができ、データの型を容易に判断することができる。さらに、ＸＭＬフォーマットデータは、ＸＭＬスタイルシート言語（ＸＳＬ）を使用して、視覚ディスプレイ用に便利にフォーマットすることができる。ホスト管理システム３００とクライアントシステム３３０との間のＸＭＬデータ転送は、ローカル装置または遠隔システムのいずれかによって、受け取られたデータを使用可能なフォーマットに転換することに関連する処理を簡略化する。
【００３２】
したがって、本発明は、機能強化された遠隔アクセスおよびデータ転送能力の上述の理由によるＸＭＬ準拠であるサーバ３０２を含むホスト管理システム３００を含む。サーバ３０２は、クライアンサーバ３３２に、また、クライアントサーバから、ＸＭＬフォーマットデータを発信し且つ受け取る。ホスト管理システム３００がＸＭＬフォーマットデータを送受信することができるため、クライアントシステム３３０は、インタラクティブベースおよび非インタラクティブベースの両方で、ホスト管理システム３００へデータを効率的に転送することができる。「インタラクティブなインターフェーシング」は人が始めるアクセスとして規定される。ホスト管理システム３００とクライアントシステム３３０との間でインタラクティブなインターフェーシングが望ましい場合には、クライアントシステム３３０によって受け取られたＸＭＬデータは、ＸＳＬを使用するブラウザを使用して人のオペレータに対してディスプレイするためにフォーマットされてもよい。「非インタラクティブなインターフェーシング」は、操作の間中、ホスト管理システム３００とクライアントシステム３３０との間の自動化されたインターフェーシングとして規定され、そのようなことが発生するために人により開始されることはない。
【００３３】
本発明の好ましい実施形態は、ＸＭＬフォーマットデータをそのデータ型アウェアマークアップ言語として使用し、ＸＳＬをそのデータ型アウェアスタイルシートとして使用するが、本発明は、それぞれＸＭＬおよびＸＳＬ以外のデータ型アウェアマークアップ言語およびスタイルシートを使用して達成されてもよいことに注意されたい。したがって、本発明は、ＸＭＬまたはＸＳＬに限定されない。
【００３４】
ＸＭＬファイルは、数種類の公知の技術を使用して、ホスト管理システム３００とクライアントシステム３３０との間に転送されてもよい。クライアントシステム３３０がハイパーテキスト転送プロトコル（ＨＴＴＰ）コンパチブルである場合には、ユニバーサルリソースロケータ（ＵＲＬ）が指定した要求応答ファイル転送用のＨＴＴＰを使用してもよい。（ＵＲＬは、インターネット上の指定したリソースを独自に特定する。）クライアントシステム３３０が、たとえば、ファイル転送プロトコル（ＦＴＰ）等の他の従来の標準を支持する場合には、情報を交換するためにこれらの標準を使用してもよい。当然ながら、ホスト管理システム３００に必要なホスティングソフトウェアを提供することによって、一定の種類のクライアントシステム３３０に独自のプロプラエタリ転送プロトコルを使用してもよい。これらの選択のうち、ＨＴＴＰ系ファイル転送は、テキストファイル転送を容易に取り扱うため、好ましい方法を表す。さらに、クライアントシステム３３０からのＨＴＴＰ要求を使用して、ホスト管理システム３００内の内部作用を誘発してもよく、これは、共通ゲートウェイインターフェース（ＣＧＩ）スクリプティングおよびサーバサイドアプレット実行に関連してよく知られている。
【００３５】
すべてのクライアントシステム３３０は、データ転送がＸＭＬフォーマットデータを使用して常に実施され、それによって、ホスト管理システム３００内のプロプラエタリまたは複数のデータ取扱サブシステムの必要性を軽減するように、この例示的実施形態用に識別されるように操作を支持するのに必要な完全セットの能力を有すると予想することができる。しかし、本発明は、ホスト管理システム３００とクライアントシステム３３０との間に通信を提供するために、インターネットおよびＸＭＬを含むＨＴＴＰの使用に限定されず、そのようであるため、本発明はそのようなものに限定されるべきではない。
【００３６】
アカウント設定
ホスト管理システム３００は、顧客によってなされる運送注文のために様々な機能を提供する。下記により詳細に説明されるように、注文が出されると、ホスト管理システム３００は、運送注文を遂行するために様々なサービスを使用する。これらのサービスのいくつかは、協働関係を通して第三者を使用することによってもよい。したがって、予め規定され格納された情報を含んでそのような第三者でアカウントを制定して、ホスト管理システム３００が適切且つできる限りもっとも効果的なやりかたでこれらの第三者から利用可能な資源を使用することを確実にすることが必要でありうる。
【００３７】
顧客アカウント設定
ホスト管理システム３００によって、そのようなサービスを使用する顧客が、コンテナ１０内の品物を運送し、ホスト管理システム３００のデータ格納設備３０６に格納されるべきアカウントを設定することができる。これによって、顧客は前もってホスト管理システム３００を使用するために必要な情報を入力することができ、そのため、ホスト管理システム３００によって必要とされるすべての必要且つ関連情報が得られ格納される。このようにして、情報は、顧客用にデータ格納設備３０６に予め格納され、そのため、変更が必要ではない限り、一定の種類の情報は、再度システムに入力される必要はない。
【００３８】
図６は、顧客アカウントを設定するために、ホスト管理システム３００によって提供される顧客アカウントデータ入力スクリーンの例を例示する。顧客は、個人名であっても企業名であってもよい名前４０１と、ストリート住所４０２、都市４０４、州４０６および郵便番号４０８から構成される請求先住所と、を提供する。運送住所が企業住所とは異なる場合には、ストリート住所４１０、都市４１２、州４１４および郵便番号４１６がさらに提供される。運送住所は、顧客へ運送のインボイスおよび請求書が送られるところである。インボイスは、設けられた連絡４１８スペースの名前宛に先に設けられた連絡電話番号４２０で送られる。連絡電話番号４２０が直通ダイアル線ではない場合は、内線番号４２２も入力されてもよい。顧客は、運送に関する通知およびホスト管理システム３００に関する他の関連情報のために電子メールアドレス４２４で入力してもよい。顧客は、パスワード４１７を入力し、そのため、運送される品物に関する情報に対する、および所望されるいずれの変更のために顧客のアカウントに対する将来のアクセスは、安全なやり方で実施することができる。
【００３９】
顧客は、変更または優先されることがない限り、運送またはサービスの使用のためのデフォルト設定として使用されるアカウント取扱および運送に選好を入力することもできる。顧客は、ホスト管理システム３００にＩＰアドレス４２６を設定するよう選択してログインし、人の注文入力のみの代わりに直接クライアントシステム３３０でコンピュータと通信することができる。アカウント設定の一部としてのホスト管理システム３００は、ＩＰアドレス４２６に接続するよう試み、接続が成功したか否かを判断する。成功していなければ、顧客連絡４１８に、そのように知らされる。
【００４０】
顧客は、品物の運送に他の第三者の名前およびアカウント番号を入力することができる。そうすることによって、顧客は、ホスト管理システム３００からその顧客によって運送される顧客の品物に関する情報に、これらの第三者がアカウントするのに許可を与えている。たとえば、顧客は、運送される品物に保険を掛けている保険会社４２８および保険アカウント番号４３０を入力してもよく、そのため、この保険会社には、運送された品物に関するいずれの特別な状態について知らされる。
【００４１】
顧客が品物運送の面に融資しており、たとえば、在庫の一部としての融資または運送自体の融資も提供することができるのであれば、顧客が入力するための金融会社４３２および金融会社アカウント番号４３４が提供される。このようにして、様々な理由および利点のために、第三者サービス提供業者情報を、運送された特定の品物へリンクすることができる。
【００４２】
そのような情報を運送される品物へリンクすることは、第三者が運送される品物に関する情報を有することを可能にする顧客によって、特定の対策および保護が整ったときに、第三者サービス提供業者が特別のレートを与えることができるため、顧客に対して有利でありうる。運送される品物の状態について、たとえばその場所を保険会社に知らせるのであれば、たとえば、そのような情報および運送方法を提供することは、紛失および災害を最小限にし且つ／または運送される盗品の回復を容易にするという事実のため、保険会社は、より低い保険率を提供することができる。同様に、金融会社は、配達点および／または場所等の品物に関する情報をデータ管理システム３００によって知らされるのであれば、金融会社は、運送用により良い融資率を提供するか、または、会社により容易に在庫ローンを結ぶことができる。
【００４３】
たとえば、ホスト管理システム３００は保険会社に、最終配達を含む運送処理中の様々な配達点で運送中の品物の場所を知らせることができる。意図された目的地で品物の最終配達の確認が知られており、そのため、保険会社は品物に関するさらなる責任を軽減されることが可能であることが、保険会社にとっては重要である。そのような通知は、郵便、ファックス、電子通信または他の形態の通信によって実施することができる。同様に、金融会社は運送される品物に先取特権を有してもよく、品物が回復しない紛失の可能性が最小限になるため、その場所およびどのあたりかの知識にアクセスすることによって、金融会社は、よりよい利率を提供することができる。
【００４４】
顧客は、そう望むのであれば、好ましい運送提供業者４３５を選択することができる。顧客が好ましい運送提供業者４３５を入力し、ホスト管理システム３００がそのような運送供給業者を使用することができない場合は、顧客は、アカウント入力を完了することができない。ホスト管理システム３００は顧客に、好ましい運送提供業者４３５が可能ではないことを知らせる。この問題を回避する１つの代替方法は、可能な好ましい運送提供業者４３５のプルダウンリストを提供することであり、そのため、顧客は、予め選択された項目のリストから１つを選ぶことができるのみである。このようにして、ホスト管理システム３００は選択のリストを顧客に提供するため、ホスト管理システム３００は、そのような運送供給業者を使用することができることが保証される。
【００４５】
顧客は、デフォルト型の望ましい運送方法４３６を選好として設定してもよい。たとえば、顧客は、夜間の運送、２日間の運送、１週間、または、一定の日数内のより低い価格で運送することを常に望んでもよい。顧客は、デフォルトの望ましい運送方法４３６を設定することができ、そのため、他に特定され且つ／または優先されるのでなければ、ホスト管理システム３００を使用して品物が運送されるときに、この情報は提供される必要はない。
【００４６】
加えて、顧客が特定の選好を有するのであれば、顧客は、運送のために望ましいコンテナ型４３８を設定してもよい。たとえば、品物によっては、温度感性のものもあり且つ／または湿度感性のものもあり、それによって、品物が運送される特定の種類のコンテナ１０を必要とする。この種類のコンテナ１０の１例は、エンビロテナー・グループ企業によって製造され配送され、ｈｔｔｐ：／／ｗｗｗ．ｅｎｖｉｒｏｔａｉｎｅｒ．ｃｏｍで見ることができ、その全体を参照として本願に組み込むものとする。特定の製品は、運送中に一定の温度で新鮮でいられるだけであり、且つ／または、温度が調整されていないと、バクテリアまたは他の好ましくない増殖を受けやすいこともある。したがって、そのような理由のため、温度管理を提供する運送コンテナ１０を提供することが有利である。一定の種類のコンテナ１０は、損傷の可能性が最小限でありうるように、もろい品物の運送に特に適している。
【００４７】
海外に運送される製品および異なる国の間に運送される製品は、品物が運送される原産国および目的国で、関税規制を受ける。ユーザは、アカウントフォームにそのように示すことによって、デフォルト設定として運送される品物に関税取扱および通関手続き４４０をクライアントシステム３３０が提供することを望むか否かを示すことができる。ホスト管理システム３００が関税と相互作用して運送される品物の均一の通関手続きを提供するやり方および方法への明細が、下記により詳細に検討される。
【００４８】
顧客は、下記により詳細に検討される注文入力の間に顧客へ与えられた行程にしたがって品物を依然として配達することができるのであれば、運送される品物がホスト管理システム３００による許可なしで再ルート４４２づけられてもよいことを示してもよい。そうすることによって、ホスト管理システム３００は、運送される品物が実際に再ルートづけされるか否かにかかわらず、運送される品物のディスカウントを顧客に提供してもよく、または、再ルートづけられる場合のみ、そのような許可のために顧客にクレジットを提供する。
【００４９】
顧客に提供されてもよい別の顧客選好オプションは、保険および金融等の、品物の運送に関する示唆的販売サービス４４４を提供することである。ホスト管理システム３００がそのような示唆的販売サービスを提供することを顧客が可能にするのであれば、顧客には、品物の運送にディスカウントが与えられてもよい。あるいは、ホストコンピュータシステム３００は、そのような示唆的サービスが望まれているか否かを選ぶオプションを顧客に与えることなく、顧客にそのような示唆的販売サービスを与えてもよい。
【００５０】
顧客が、運送されている品物に既に保険をかけていないのでなければ、顧客は、運送される品物の保険見積もり４４６および保険をかけるべき額４４８を要求することができる。顧客の注文が提出されると、ホスト管理システム３００は、運送される品物に対する予め規定された保険会社の選好にしたがってホスト管理システム３００で制定された保険アカウントに基づいて保険会社に見積もりを要求する。運送されている品物および他の選好が、保険会社のそのアカウントで予め規定された選好にしたがって満たされる場合に、ホスト管理システム３００は、保険会社のクライアントシステム３３０に見積もりを要求し、そのような見積もりは、下記にさらに詳細に検討されるように、注文入力フェーズ中に注文が出されるときに、顧客に利用可能になる。
【００５１】
同様に、顧客は、運送サービスの支払いに使用されるための顧客アカウント設定中に、クレジットライン４５０および額４５２を要求することができる。顧客の注文が提出されると、ホスト管理システム３００は、運送される品物に対する予め規定された金融アカウントの選好にしたがってホスト管理システム３００で制定された金融会社アカウントに基づいて金融会社に見積もりを要求する。運送されている品物および他の選好が、金融会社のそのアカウントで予め規定された選好にしたがって満たされる場合に、ホスト管理システム３００は、金融会社のクライアントシステム３３０に見積もりを要求し、そのような見積もりは、下記にさらに詳細に検討されるように、注文入力フェーズ中に注文が出されるときに、顧客に利用可能になる。
【００５２】
すべての情報が顧客によって提供された後に、顧客は「提出」ボタン４４７を選択し、情報をホスト管理システム３００へ提出する。ホスト管理システム３００は、顧客アカウント情報を処理し、将来のすべての運送サービスに使用されるアカウント番号を顧客へ戻す。この番号は、顧客へのインボイス目的に使用される。顧客によるいずれの支払いは、顧客の運送注文の支払いを格納し、そのため、アクセスされるときに注文の状態が支払いを示すことができるように、ホスト管理システム３００のこのアカウント番号になされる。
【００５３】
選好を含む上記検討された顧客アカウント情報は、本発明の例であり、ホスト管理システム３００の特定の構成に依存して選択が自由であることに注意すべきである。他の顧客情報および選好を顧客アカウントに入力して、ここに特定して検討されない顧客情報および選好のデフォルト設定を提供してもよい。本発明は、本願のいずれかの特定の顧客アカウント情報を包含することに限定されるべきではない。
【００５４】
第三者サービス提供業者
ホスト管理システム３００は、顧客の運送注文を遂行するために第三者サービス提供業者との関係を提供することができる。たとえば、ホスト管理システム３００は、顧客の運送に保険をかける見積もりを保険会社に問い合わせることができる。金融会社は、顧客の運送の支払いに融資を提供するように問われることもある。ホスト管理システム３００によってアクセス可能なサービスを提供するこれらの第三者の各々は、本願では「第三者サービス提供業者」と呼ばれる。各第三者サービス提供業者は、ホスト管理システム３００のアカウント内の自己のサービスに関する情報にログインし、そのため、顧客の運送注文を遂行するのに必要があるときに、そのようなサービスはホスト管理システム３００にアクセス可能である。
【００５５】
保険会社アカウント設定
さらに、ホスト管理システム３００が特定のやり方で保険会社と相互作用することを保険会社が望み、保険会社がホスト管理システム３００へのクライアントシステム３３０として作用することができる場合には、保険会社はアカウントを設定することができる。保険アカウントの設定は、保険会社がホスト管理システム３００へのアクセスを得て、顧客によって運送される保険をかけられた品物に関する情報を得ることができるだけではなく、ホスト管理システム３００が、既に保険をかけられていない顧客の運送品物へその特定の保険会社からサービスを提供することができるように、保険会社が情報を設定することが可能である。たとえば、顧客は、上記図６に検討されたようにアカウントを設定するときに保険会社用のデフォルト設定を有さなくてもよいか、または、顧客は、品物を運送するときに、自己のデフォルトを保険会社に優先するように選択してもよい。データ管理システム３００によって、顧客は、運送する品物の注文が出されるときにデータ管理システム３００の保険会社の部分に保険を要求することができてもよいか、または、運送顧客によって開始されない示唆的販売サービスとして顧客に異なる保険計画を提案してもよい。そのような保険サービスアクセスは、料金が提供されるならば、データ管理システム３００によって許可されてもよい。そのような料金は、当初フックアップ料金、定期的ベースの定額料金、そのような保険会社のサービスに係わる顧客に基づいた料金、または、ホスト管理システム３００の使用を通して品物を運送するときのそのいずれの組み合わせを含む。
【００５６】
図７は、保険アカウントを設定するために、ホスト管理システム３００によって提供される保険アカウントデータ入力スクリーンの例を例示する。保険提供業者は、保険会社の名前４５０、ストリート住所４５２、都市４５４、州４５６および郵便番号４５８を提供する。いずれの特別な通信または問い合わせが、設けられた連絡電話番号４６２で連絡４６０の宛先に送られる。連絡電話番号４６２が直通ダイアル線ではない場合は、内線番号４６３も入力されてもよい。保険会社は、運送に関する通知およびホスト管理システム３００に関する他の関連情報のために電子メールアドレス４６４も入力してもよい。保険会社は、パスワード４６６も入力し、そのため、運送される品物に関する情報へおよび所望されるいずれの変更のための顧客のアカウントへの将来のアクセスは、上記顧客アカウント設定で上述されたように安全なやり方で実施することができる。
【００５７】
保険会社は、ホスト管理システム３００にＩＰアドレス４７３を設定するよう選択して、人の注文入力のみの代わりに直接クライアントシステム３００としてコンピュータシステムと通信するようにログインすることができる。このようにして、ホスト管理システム３００と保険会社との間に転送される情報は、人の相互作用を必要とせずに、高速度で発生する。保険アカウント設定の一部としてのホスト管理システム３００は、ＩＰアドレス５１８に接続するよう試み、接続が成功したか否かを判断する。成功していなければ、保険会社への連絡５１０は、そのように知らされる。
【００５８】
保険アカウント設定情報は、保険会社がデフォルトとして設定したいと思う選好を予め規定する能力も含む。上記に検討された顧客アカウント設定のように、保険会社は、そのアカウントの情報を変更し、且つ／または、デフォルトの取扱パラメータに優先することができる。
【００５９】
保険会社は、保険をかけない品物の選好型４６８を提供することができる。運送を要求する顧客によってホスト管理システム３００に入力された品物が選択されたカテゴリーの１つであるならば、ホスト管理システム３００は、下記により詳細に検討されるように、本発明の示唆的販売特徴部の一部としてその特定の保険会社からの見積もりを要求しない。また、顧客が品物の運送に保険をかけるのに特定の保険を選択するのであれば、その選択が顧客のアカウントの選好における保険会社名４２８によるものであろうと、または、運送要求入力時に入力されるものであろうと、ホスト管理システム３００は、運送されている品物の種類、および、もしあれば、顧客によって入力された特定の保険を、その保険会社の自己のアカウントの保険をかけない品物の種類４６８の選好までチェックする。保険会社がホスト管理システム３００にアカウントを持たない場合には、このチェックはホスト管理システム３００によっては実施されない。
【００６０】
保険会社がホスト管理システム３００にアカウントを有する場合且つ運送されている品物用に顧客が入力した保険会社名が、その特定の保険会社の保険をかけない品物４６８の型選好にリストされている場合には、ホスト管理システム３００は顧客にこれを知らせ、顧客が自分の保険会社入力を変更し、この保険会社情報を除去するのを可能にするか、または、顧客がホスト管理システム３００に、運送されている特定の種類の品物に保険をかける保険会社から見積もりを出させるのを可能にするか、のいずれかである。顧客が、保険会社名プロファイルに元々の保険会社を残す場合には、ホスト管理システム３００は注文を受け入れ、その特定の保険会社は、運送されている特定の種類の品物に保険をかけないという選好を示したという事実を再度、顧客に知らせ、保険会社のアカウントに格納されたその連絡名４１８および電子メールアドレス４６４に基づいて、保険会社にこの食い違いを知らせる。
【００６１】
保険会社は、合衆国外部へ出る品物に保険をかけないという選好を提供することができる４７２。保険会社は、品物が最終目的地に首尾よく到着しなかった場合に必要な資源のため、合衆国外部へまたは特定の国へ運送される品物に保険を提供する資源を有さないこともある。
【００６２】
保険会社が合衆国外部へ出る品物に保険をかけたくない場合には、運送を要求する顧客によってホスト管理システム３００に入力された品物が合衆国外部で発生する移動を含むのであれば、ホスト管理システム３００は、下記により詳細に検討されるように、本発明の示唆的販売特徴の一部としてその特定の保険会社に見積もりを要求しない。
【００６３】
顧客が、合衆国外部の移動のルートを含む品物の運送に保険をかけるのに特定の保険を選択する場合には、その選択が顧客のアカウントの選好における保険会社名４２８によるものであろうと、または、運送要求入力時に入力されるものであろうと、ホスト管理システム３００は、運送されている品物のルートをチェックする。ホスト管理システム３００は、もしあれば、顧客によって入力された特定の保険会社を、そのアカウントにおける合衆国外部へ移動する品物４７２の保険用にその保険会社の選好までチェックする。保険会社がホスト管理システム３００にアカウントを持たない場合には、このチェックはホスト管理システム３００によっては実施されない。保険会社がホスト管理システム３００にアカウントを有する場合には、ホスト管理システム３００は、顧客によって運送が要求されている品物が合衆国外部への移動を含むか否かをチェックする。含むのであれば、且つ、顧客がその保険会社を保険業者として入力しているのであれば、ホスト管理システム３００は、この食い違いを顧客に知らせ、顧客が保険会社入力を変更して、この保険会社情報を除去するのを可能にするか、または、顧客がホスト管理システム３００に、運送されている特定の種類の品物に保険をかける保険会社に見積もりを出させるのを可能にするか、のいずれかである。顧客が、保険会社名プロファイルに元々の保険会社を残す場合には、ホスト管理システム３００は注文を受け入れ、その特定の保険会社は、合衆国外部へ移動する運送されている品物に保険をかけないという選好を示したという事実を再度、顧客に知らせ、保険会社のアカウントに格納されたその連絡名４６０および電子メールアドレス４６４に基づいて、保険会社にこの食い違いを知らせる。
【００６４】
下記により詳細に検討されるように、本発明の示唆的販売特徴の一部として、顧客が保険会社を示しておらず、且つ／または、顧客が保険見積もりを要求する場合には、ホスト管理システム３００が特定の運送注文４７６のために顧客によって運送が要求されている特定の品物の保険の見積もりを要求するべきか否かの選好を、保険会社が提供することができる。保険会社が「いいえ」を示す場合には、ホスト管理システム３００は、その特定の保険会社に保険見積もりを要求しない。保険会社が「はい」を示す場合には、保険会社のアカウントに他の選好基準が合致しない限り、ホスト管理システム３００は、顧客から要求されるときに、且つ／または、顧客が既にその注文要求で保険会社を指定していないときに、その特定の保険会社に保険見積もりを要求する。
【００６５】
下記により詳細に検討されるように、本発明の示唆的販売特徴の一部として、保険会社は、品物の運送を要求する会社４５０の最小信用格付けの選好を提供することができる。顧客が品物を運送するための保険の保険見積もりを要求する場合、ホスト管理システム３００は、顧客の信用格付けを判断する。ホスト管理システム３００は、見積もりを提供するよう保険会社へ要求を送る前に、顧客の信用格付けに等しいかまたはそれより低い最小信用格付けの選好４７４に信用格付けを含む、ホスト管理システム３００内に保険アカウントを有するすべての保険会社へ運送注文の詳細を提供する。
【００６６】
また、保険会社は最小信用格付け選好４７４に「なし」を指定してもよく、これは、顧客の信用格付けに基づいて、ホスト管理システム３００がその特定の保険会社に見積もりを要求するのを回避しないことを意味する。しかし、ホスト管理システム３００に対して見積もられる保険価格は、これは今度は可能な選択のために顧客に与えられるが、顧客の信用格付けに依存して、価格が変動する。たとえば、信用格付けがＡＡＡの顧客は、信用格付けがＢの顧客よりも低い見積もりを特定の保険会社から受ける。
【００６７】
また、保険会社の選好の一部として、会社が保険をかけた品物４７８に関する自動通知をホスト管理システム３００が送るべきか否かを保険会社が示すことができる。保険会社は、ホスト管理システム３００内の保険をかけたいずれの品物に自動的にリンクされる。ホスト管理システム３００は、運送されている品物に関する情報を受け取り、運送されている品物を含むコンテナの場所を含む。もしあれば、選択された選好に依存して、ホスト管理システム３００は、品物が所定のルートをはずれて移動しているとき、品物が運送中に目的点に到着したとき、且つ／または、品物が最終目的地に到着したときに、保険をかけた品物の自動通知を保険会社に送る。そのような情報は、品物がルートをはずれた場合に紛失を最小限にするために、保険会社に有用でありうる。支払い能力問題および規制のため、再保険を獲得し、且つ／または、いずれのさらなる保険を拡張しない前に、拡張しようとしている保険の最大額を保険会社が通常有するため、そのような保険が他の運送のために利用可能になることができるように、保険会社が現在の保険証書を解放して終えるためにも、そのような情報は有用でありうる。
【００６８】
最後に、保険会社は、提出ボタン４７７を選択することによって、ホスト管理システム３００によって処理するためにアカウントを提出する。ホスト管理システム３００は、次いでアカウントを処理し、データ格納３０６に格納する。
【００６９】
運送コンテナ提供業者アカウント設定
ホスト管理システム３００は、運送コンテナを提供する特定の会社が運送コンテナアカウントを設定するのを可能にすることも必要である。時折、特定のコンテナ１０は、顧客の運送注文を遂行することが要求される。先に上記に記載したように、顧客は自分の顧客アカウントの選好にコンテナ型４３８を入力することができ、または、下記により詳細に検討されるように、顧客は、実際の運送注文入力中に必要な特定のコンテナ型を特定することができる。そのような情報は、温度感性の品物を運送するために温度制御を有するコンテナを含んでもよい。ある種の品物はもろいこともあり、運送中にコンテナ１０の運動および／または押し合いのために発生する可能性のある損傷を内容物が受けないように製造されたコンテナ１０を必要とする。
【００７０】
図８は、運送コンテナアカウントを設定するために、ホスト管理システム３００によって提供される運送コンテナアカウントデータ入力スクリーンの例を例示する。運送コンテナ提供業者は、その会社の名前５００、ストリート住所５０２、都市５０４、州５０６および郵便番号５０８を提供する。いずれの特別な通信または問い合わせが、設けられた連絡電話番号５１２で連絡５１０の宛先に送られる。連絡電話番号５１２が直通ダイアル線ではない場合は、内線番号５１３も入力されてもよい。運送コンテナ会社は、運送に関する通知およびホスト管理システム３００に関する他の関連情報のために電子メールアドレス５１４も入力してもよい。運送コンテナ会社は、パスワード５１６も入力し、そのため、運送される品物に関する情報へおよび所望されるいずれの変更のための顧客のアカウントへの将来のアクセスは、上記顧客アカウント設定で上述されたように安全なやり方で実施することができる。
【００７１】
運送コンテナ会社は、ホスト管理システム３００にＩＰアドレス５１８を設定するよう選択して、人の注文入力のみの代わりに直接クライアントシステム３００として運送コンテナ会社のコンピュータシステムと通信するようにログインすることができる。このようにして、ホスト管理システム３００と運送コンテナ会社との間に転送される情報は、人の相互作用を必要とせずに、高速度で発生する。アカウント設定の一部としてのホスト管理システム３００は、ＩＰアドレス５１８に接続するよう試み、接続が成功したか否かを判断する。成功していなければ、保険会社連絡５１０は、そのように知らされる。
【００７２】
運送コンテナアカウントは、選好として、製品を運送するのに使用される運送コンテナ在庫の一部として利用可能な特別な種類のコンテナを示す能力を含む。運送要求を行う顧客は、下記により詳細に検討されるように、自己のコンテナ１０を提供するように選択してもよく、したがって、運送コンテナ用のオプションにアクセスする必要はない。しかし、運送コンテナが必要であると顧客が示す場合は、ホスト管理システム３００が運送コンテナ会社アカウントにアクセスし、顧客の必要性に合致するコンテナが利用可能か否かを判断する。コンテナのそのような可能性は、選択のため顧客にディスプレイされる。
【００７３】
顧客は、特別の品物が運送されるときに、運送コンテナの外部源を必要とすることが多く、運送コンテナ会社は、常にすべての種類の特別なコンテナを提供しなくてもよい。提供される特別なコンテナの種類５２０用の選好は、運送コンテナアカウント設定スクリーンにリストされ、そのため、運送コンテナ会社は、一定の型の運送コンテナを提供するか否かを選ぶことができる。運送会社が特定の型の特別なコンテナを提供せず、運送注文を行う顧客がその特定の型を要求する場合には、その特定の運送会社は、コンテナ１０を提供するためのオプションとして顧客に与えられない。
【００７４】
さらに、運送コンテナ会社は、提供されたサイズ５２２のコンテナ１０の指示を提供することができ、そのため、運送コンテナ会社の提供されたサイズのコンテナ１０が、顧客の運送用のスペースの最小要求条件に合致することができるならば、運送コンテナ会社は、コンテナ１０の選択用のオプションとして顧客に呈される。ホスト管理システム３００は、アカウント内の運送コンテナ会社の提供されたサイズ５２２の選好を見ることによって、コンテナサイズの顧客の要求と運送コンテナ会社の提示とを比較する。顧客によって要求される最小サイズも運送コンテナ会社によって提供されるのであれば、ホスト管理システム３００は、顧客の注文中にその運送会社に見積もりおよび利用可能性を要求し、運送会社がストックに有し顧客に提供することができるサイズ、および、それを提供する価格を判断する。運送コンテナ会社が既に提供されたサイズ５２２選好に入力しているが、ホスト管理システム３００は、運送コンテナ会社のクライアントシステム３３０への通信を通して利用可能なサイズおよび価格をリアルタイムで検証し、ホスト管理システム３００にアカウントが設定されたときより後に運送コンテナ会社が価格を調整した場合に、利用可能性および最新更新価格を保証する。提供されたサイズ５２２選好は容量がフィートでリストされる。たとえば、運送コンテナ会社が５０立方フィートを運送することができるコンテナ１０を最小サイズとして提供すると、１〜５０立方フィートの品物を保持することができるコンテナを求める顧客要求によって、ホスト管理システム３００は、その特定の運送会社に顧客へ５０立方フィートコンテナを提供させる。運送コンテナ会社の最大サイズが４０立方フィートであれば、ホスト管理システム３００はその特定のコンテナ運送会社に見積もりを要求せず、したがってそのようなコンテナ運送会社は、選択用のオプションとして顧客へ提供されることはない。
【００７５】
最後に、運送提供業者は、提出ボタン５１９を選択することによって、ホスト管理システム３００によって処理するためにアカウントを提出する。ホスト管理システム３００は、次いでアカウントを処理し、データ格納３０６に格納する。
【００７６】
運送提供業者アカウント設定
ホスト管理システム３００は、運送サービスを提供する特定の会社が運送提供業者アカウントを設定するのを可能にすることも必要である。ホスト管理システム３００は、顧客運送を遂行するために注文に運送提供業者を使用する。
【００７７】
図９は、運送提供業者アカウントを設定するために、ホスト管理システム３００によって提供される運送提供業者アカウントデータ入力スクリーンの例を例示する。運送提供業者は、その会社の名前５５０、ストリート住所５５２、都市５５４、州５５６および郵便番号５５８を提供する。いずれの特別な通信または問い合わせが、設けられた連絡電話番号５６２で連絡５６０の宛先に送られる。連絡電話番号５６２が直通ダイアル線ではない場合は、内線番号５６４も入力されてもよい。運送提供業者は、運送に関する通知およびホスト管理システム３００に関する他の関連情報のために電子メールアドレス５６６も入力してもよい。運送提供業者は、パスワード５６８も入力し、そのため、運送される品物に関する情報へおよび所望されるいずれの変更のための顧客のアカウントへの将来のアクセスは、上記顧客アカウント設定で上述されたように安全なやり方で実施することができる。
【００７８】
運送提供業者は、ホスト管理システム３００にＩＰアドレス５７０を設定するよう選択して、人の注文入力のみの代わりに直接クライアントシステム３００として運送提供業者のコンピュータシステムと通信するようにログインすることができる。このようにして、ホスト管理システム３００と運送提供業者との間に転送される情報は、人の相互作用を必要とせずに、高速度で発生する。アカウント設定の一部としてのホスト管理システム３００は、ＩＰアドレス５７０に接続するよう試み、接続が成功したか否かを判断する。成功していなければ、運送提供業者連絡５６０は、そのように知らされる。
【００７９】
運送提供業者アカウントは、選好として、ホスト管理システム３００によって使用されるサービスに関する特別な種類の選好を示す能力を含む。運送要求を行う顧客は、下記により詳細に検討されるように、品物が運送されるべきやり方を特定してもよい。しかし、運送コンテナが必要であると顧客が示す場合は、ホスト管理システム３００がその運送提供業者アカウントにアクセスし、顧客の必要性に合致する運送サービスが利用可能か否かを判断する。そのような運送の可能性は、選択のため顧客にディスプレイされる。
【００８０】
運送提供業者は、運送サービスに関する選好を含むことができ、そのため、ホスト管理システム３００は、顧客の要求と提供業者のアカウントに格納された運送提供業者の選好とを比較して、特定の顧客運送要求のために運送サービスを提供する可能性として特定の運送提供業者に問い合わせるべきか否かを判断することができる。
【００８１】
１つの運送提供業者の選好は、品物を運送する時間５７２である。たとえば、運送提供業者は、ユナイテッド・パーセル・サービスのものに類似したサービスを有してもよく、それは、地上サービス、３日選択、２日航空書状、２日航空、翌日航空書状、翌日航空、２日航空午前および翌日航空セーバーである。運送提供業者は、そのような品物を運送するのに必要な時間に依存して運送サービスを提供してもよく、しなくてもよい。運送提供業者は、合衆国内および合衆国外での品物の運送の間の運送用タイミングを区別してもよい。現在の例では、運送提供業者は、合衆国内および合衆国外の両方の運送用に提供する標準の一部として運送に利用可能な異なるタイミングのすべてを選択する。この情報は、ホスト管理システム３００によって使用されて、顧客の運送注文の運送を遂行するために特定の運送提供業者にさらに問い合わせるべきか否かが判断される。当然ながら、顧客の注文がホスト管理システム３００に入力されるまで知られていない他の情報、たとえば、原産地、目的地および必要とされる正確なタイミングも、運送提供業者がそのサービスを提供するのに不適格とすることもある。選好の主な目的は、ホスト管理システム３００によって問い合わせられないように、サービス提供業者が自動的に排除される一定の基準を規定することである。
【００８２】
別の運送提供業者選好は、運送提供業者が運送しない材料の種類５７４である。一定の種類の品物には保険を提供しない保険会社に関する上記検討と同様に、運送提供業者も、標準的慣習として一定の種類の材料は運送しないことを選択してもよい。たとえば、ユナイテッド・パーセル・サービスは、１００ドルまでの小包を追加料金なしで保険をかける。この額を超える特別な保険は、顧客が料金を払って購入してもよい。したがって、顧客の保険要求が、運送提供業者によって無料で提供される保険より少ないかこれに等しい場合、ホスト管理システム３００は、運送提供業者を保険会社としても選択する。しかし、顧客は、常に特別な保険情報を入力することができ、この特徴に優先することができる。
【００８３】
運送提供業者は、たとえば、傷みやすいもの、危険材料、生体材料および臓器等の運送しない材料の種類を、アカウント設定スクリーンに含まれる選択から選ぶことができ、そのため、顧客の運送注文が、特定の運送提供業者によって運送から特に除外される品物の運送を要求する場合には、ホスト管理システム３００は、その運送提供業者に問い合わせをしない。
【００８４】
運送提供業者は品物の運送に自己の保険を提供してもよい。したがって、上記で先に検討したように、顧客が特定の保険業者を特に示していない場合には、運送提供業者は、選好として、自己の保険が顧客へ提供されるべきか否か５７６を示すことができる。選好を含む他の基準が合致すれば、運送提供業者は顧客によって運送が要求されている品物に保険を提供することが想定される。
【００８５】
運送提供業者は、一定の重量またはサイズ制限下で品物の運送を提供するのみでもよい。したがって、運送提供業者は、アカウント設定スクリーンの選好セクションにおいて、そのような最大重量制限５７８および／または最大サイズ制限５８０を示してもよい。たとえば、ユナイテッド・パーセル・サービスは、小包が周囲の寸法と長さの組み合わせが１３０インチを超えないことを必要とする。顧客運送注文要求が、特定の運送提供業者によって示された選好に合致しない場合には、ホスト管理システム３００は、顧客の品物の運送を提供する可能性として特定の運送提供業者にさらに問い合わせることはない。
【００８６】
他の選好は、運送提供業者アカウント選好に設けられてもよく、これは、運送提供業者が運送サービスのために顧客へ提供されてもされなくてもよい基準をさらに規定する。
【００８７】
最後に、運送提供業者は、提出ボタン５７７を選択することによって、ホスト管理システム３００によって処理するためにアカウントを提出する。ホスト管理システム３００は、次いでアカウントを処理し、データ格納３０６に格納する。
【００８８】
金融会社アカウント設定
図１０は、銀行または他の金融機関等の金融会社アカウントを設定するために、ホスト管理システム３００によって提供される金融アカウントデータ入力スクリーンの例を例示する。金融会社は、その会社の名前６００、ストリート住所６０２、都市６０４、州６０６および郵便番号６０８を提供する。いずれの特別な通信または問い合わせが、設けられた連絡電話番号６１２で連絡６１０の宛先に送られる。連絡電話番号６１２が直通ダイアル線ではない場合は、内線番号６１４も入力されてもよい。金融会社は、運送に関する通知およびホスト管理システム３００に関する他の関連情報のために電子メールアドレス６１６も入力してもよい。金融会社は、パスワード６１８も入力し、そのため、運送される品物に関する情報へおよび所望されるいずれの変更のための顧客のアカウントへの将来のアクセスは、上記顧客アカウント設定で上述されたように安全なやり方で実施することができる。
【００８９】
金融会社は、ホスト管理システム３００にＩＰアドレス６２０を設定するよう選択して、人の注文入力のみの代わりに直接クライアントシステム３００として運送提供業者のコンピュータシステムと通信するようにログインすることができる。このようにして、ホスト管理システム３００と運送提供業者との間に転送される情報は、人の相互作用を必要とせずに、高速度で発生する。ホスト管理システム３００は、アカウント設定の一部として、ＩＰアドレス６２０に接続するよう試み、接続が成功したか否かを判断する。成功していなければ、金融会社６１０は、そのように知らされる。
【００９０】
金融会社は、金融サービスに関する選好を含むことができ、そのため、ホスト管理システム３００は、顧客の要求と金融会社アカウントに格納された金融会社の選好とを比較して、顧客が金融会社による提供に対して適格であるか否かを判断する。
【００９１】
１つの金融会社選好は、融資が与えられる前の顧客の最小信用格付け６２２である。顧客は、上記検討した顧客アカウント設定中に信用限度額見積もりを要求することができる。ホスト管理システム３００は、顧客の信用格付けを判断し、これを、ホスト管理システム３００で金融会社アカウントの各々に設定された最小信用格付け選好６２２と比較する。顧客の信用格付けが、特定の金融会社の少なくとも最小信用格付け選好６２２に合致しなければ、その金融会社に、ホスト管理システム３００は見積もりを問い合わせない。また、顧客の信用格付けが特定の金融会社の最小信用格付け選好６２２に等しいかまたはそれより高いとしても、金融会社はその顧客の信用限度額を延ばさなくてもよいことに注意されたい。しかし、これは、ホスト管理システム３００が金融会社のクライアントシステム３３０へその顧客に関するすべての関連情報を送った後に、判断される。
【００９２】
最後に、金融会社は、提出ボタン６２１を選択することによって、ホスト管理システム３００によって処理するためにアカウントを提出する。ホスト管理システム３００は、次いでアカウントを処理し、データ格納３０６に格納する。
【００９３】
また、ホスト管理システム３００は、金融会社として作用することもでき、ホスト管理システム３００を通して運送目的のための顧客に信用限度額を与えることにも注意されたい。
【００９４】
関税取扱提供業者アカウント設定
図１１は、銀行または他の金融機関等の関税取扱提供業者アカウントを設定するために、ホスト管理システム３００によって提供される関税取扱提供業者アカウントデータ入力スクリーンの例を例示する。関税取扱提供業者は、その会社の名前５８１、ストリート住所５８２、都市５８３、州５８４および郵便番号５８５を提供する。いずれの特別な通信または問い合わせが、設けられた連絡電話番号５８７で連絡５８６の宛先に送られる。連絡電話番号５８７が直通ダイアル線ではない場合は、内線番号５８８も入力されてもよい。関税取扱提供業者は、運送に関する通知およびホスト管理システム３００に関する他の関連情報のために電子メールアドレス５８９も入力してもよい。金融会社は、パスワード５９０も入力し、そのため、運送される品物に関する情報へおよび所望されるいずれの変更のための顧客のアカウントへの将来のアクセスは、上記顧客アカウント設定で上述されたように安全なやり方で実施することができる。
【００９５】
関税取扱提供業者は、ホスト管理システム３００にＩＰアドレス６２０を設定するよう選択して、人の注文入力のみの代わりに直接クライアントシステム３００として運送提供業者のコンピュータシステムと通信するようにログインすることができる。このようにして、ホスト管理システム３００と運送提供業者との間に転送される情報は、人の相互作用を必要とせずに、高速度で発生する。ホスト管理システム３００は、アカウント設定の一部として、ＩＰアドレス５９１に接続するよう試み、接続が成功したか否かを判断する。成功していなければ、金融会社５８１は、そのように知らされる。
【００９６】
関税取扱提供業者は、関税取扱サービスに関する選好を含むことができ、そのため、ホスト管理システム３００は、顧客の要求と関税取扱提供業者アカウントに格納された関税取扱提供業者の選好とを比較して、関税取扱提供業者が顧客の運送のための関税取扱サービスを提供することができるか否かを判断する。
【００９７】
１つの顧客取扱提供業者選好は、顧客の運送が原産５９２となる国である。別の顧客取扱提供業者選好は、顧客の運送の目的５９３となる国である。国用のコードが、図１２に例示される関税取扱提供業者アカウント設定スクリーンに入力される。一定の関税取扱サービス提供業者は、顧客の運送の原産国および／または目的国に依存して、関税取扱サービスを提供することができてもできなくてもよい。
【００９８】
最後に、金融会社は、提出ボタン５９４を選択することによって、ホスト管理システム３００によって処理するためにアカウントを提出する。ホスト管理システム３００は、次いでアカウントを処理し、データ格納３０６に格納する。
【００９９】
規制当局アカウント設定
ホスト管理システム３００は、規制当局が顧客運送に関する情報にアクセスする規制アカウントを有することができるようにする。規制当局には顧客一人ずつのベースで許可が与えられてもよく、特定の顧客運送に関する情報にアクセスできることを意味する。規制当局には、ホスト管理システム３００の顧客運送に関するいずれの情報にアクセスする許可が与えられてもよい。地元規制当局には、地元規制当局の管轄地域（すなわち、コンテナ運送が、その規制当局の地理的管轄地域を原産地とし、そこを通り、且つ／または、その地域内の最終目的地に到着する）に接触し係わるコンテナ運送の運送情報に対するアクセスが与えられてもよい。
【０１００】
第三者サービス提供業者は、そのようなサービスを提供することができるのであれば、上記に検討されたサービスの２つ以上のカテゴリーにアカウントを設定することができることに注意すべきである。
【０１０１】
運送注文入力
ホスト管理システム３００に顧客アカウントを設定した顧客は、先に図６で説明したように、ホスト管理システム３００を通して運送注文を出すことができる。注文は、クライアントシステム３３０を使用して出される。注文は、インターネットウェブページによるように、クライアントシステム３３０サイドに人が手で入力することができ、または、クライアントシステム３３０サイドのコンピュータシステムを使用することによって、自動的に行われてもよい。顧客によっては、自分の顧客インターフェースからコンピュータシステムへと製品の注文をしたい者もおり、コンピュータシステムは、次いで今度は、クライアントシステム３３０として作用し、ホスト管理システム３００へ自動的に注文を送る。
【０１０２】
図１２は、顧客ログインスクリーンを例示する。顧客は、挙げられたフィールドにアカウント番号６２４およびパスワード６２６を入力し、ログインボタン６２８を選択する。顧客がホスト管理システム３００にアカウントを有さない場合には、ホスト管理システム３００は、先に図６に説明した顧客アカウント設定スクリーンへ顧客を導く。顧客が正しいパスワード６２６を入力しないと、ホスト管理システム３００は顧客に再度これを入力させ、また、顧客がパスワードを忘れた場合には、顧客にホスト管理システム３００連絡番号を提供する。
【０１０３】
ひとたび顧客が首尾よくホスト管理システム３００にログインすると、図１３が例示され、自分のアカウントに関して５つの選択を与えられていることが例示される。顧客は、運送注文入力を行い６３０、運送を追跡し６３２、運送に関するレポートを作成し６３４、請求書情報にアクセスし６３６、顧客アカウントの設定を修正する６３８ことができる。
【０１０４】
顧客運送注文入力
図１３は、顧客がシステム選択スクリーンから運送注文入力選択６３０を選択するときに、顧客へディスプレイされる顧客運送注文入力スクリーンを例示する。顧客は第１に、運送注文用の運送情報を入力し、原産の住所６５４、原産の都市６５６、原産の州６５８、原産の郵便番号６６０および原産国６６２を含む。顧客は次に運送注文用の目的地情報を入力し、目的の名前／会社６６４、目的の住所６６６、目的の都市６６８、目的の州６７０、目的郵便番号６７２および目的国６７４を含む。
【０１０５】
顧客は次に運送注文用の運送情報および特別な取扱を入力する。顧客は、好ましい運送提供業者６７５を選ぶことができ、その場合、運送提供業者がホスト管理システム３００に運送提供業者アカウントを制定していれば、ホスト管理システム３００がこの運送提供業者を使用して品物を運送する。運送品のサイズ６７６は、顧客によって入力される。サイズは、三次元測定、容量、または、注文を適切に出せるようにホスト管理システム３００によって許可されるような他のいずれの種類の測定であってもよい。運送品の重量６７８は、顧客によって入力される。この情報は顧客によって入力されなくてもよいが、運送提供業者がホスト管理システム３００の自己のアカウント選好に最大重量制限を有する場合には、顧客はこの情報を入力しなければならない。目的日付が入力され、これは、運送品が目的地に配達されるのを顧客が要求する日付である。
【０１０６】
顧客は、運送提供業者が運送注文を集荷すべきか否か６８２、または、顧客がホスト管理システム３００によって特定された場所へ運送品を届ける責任を取るか否かを特定する。顧客が集荷を特定する場合、ホスト管理システム３００は顧客に、いつ頃誰によって配達が集荷されるかを知らせる。顧客が集荷を特定しない場合、すなわち顧客が運送品を引き渡す場合には、運送が首尾よく且つ目的の日付６８０までに完了するように、ホスト管理システム３００は顧客に、運送品を引き渡す場所およびそうする時間を知らせる。
【０１０７】
顧客は、運送品がホスト管理システム３００によって再ルートづけられてもよいか否か６８４を選ぶことができる。これは顧客に運送のためのよりよい価格を与える。しかし、下記のモニタリング特徴でより詳細に検討されるように、そのような再ルートづけが顧客によるその後のフォローアップおよび確認なしでそのような運送を遅らせる場合には、この選択は、ホスト管理システム３００が運送品を再ルートづけることができることは意味しない。
【０１０８】
顧客は、運送に関する特別な環境情報を入力してもよく、そのため、ホスト管理システム３００は、適切な運送条件が確認され、運送用の顧客への価格を見積もることを確実にすることができる。温度感性６８６、湿度感性６９２、傷みやすい運送用品物６８８、および、特にもろい且つ／または損傷を受けやすい品物６９０等のオプションが利用可能である。この情報は、ホスト管理システム３００によって使用されて、顧客運送のために、容認可能な運送提供業者、容認可能な運送コンテナ、および、容認可能なルート情報等の情報を判断するが、これらの要因はすべて、顧客運送のための特別な取扱要求に影響を与える可能性があるからである。
【０１０９】
顧客は、顧客注文が提出されるときに、ホスト管理システム３００に様々なタスクを実行させる運送オプションを提供することができる。顧客は、もっとも安い価格６９４、最良の配達時間６９６、最良のルート６９８、最良の関税取扱方法７００および配達の代替時間７０２等の運送に関するオプションを、ホスト管理システム３００にサーチさせるよう選択することができる。
【０１１０】
顧客がもっとも安い価格６９４オプションを選択する場合には、ホスト管理システム３００は、顧客の運送要求および特別な取扱オプションに最も近い最も安い価格のやり方で運送を提供するようにサーチする。顧客には、注文が提出された後に、これらの代替案が与えられ、価格に基づいて運送注文入力になされるいずれの変更を受け入れる機会が与えられる。顧客が配達の最良時間６９６を選択する場合には、ホスト管理システム３００は、顧客の運送要求および特別な取扱オプションを考えてできる限り最良の時間に運送を提供するようにサーチする。再度、顧客には、注文が提出された後に、これらの代替案が与えられ、配達時間に基づいて運送注文入力になされるいずれの変更を受け入れる機会が与えられる。顧客が配達用の最良のルート６９８を選択する場合には、ホスト管理システム３００は、最も少ない数の停止で運送を提供するようにサーチする。再度、顧客には、注文が提出された後に、これらの代替案が与えられ、運送注文運送停止になされるいずれの変更を受け入れる機会が与えられる。
【０１１１】
顧客は、保険、請求目的の金融、および関税取扱を供給する会社に好みの選択があるのであれば、これらのサービスの選好も入力することができる。顧客が好ましい保険提供業者を有する場合、顧客は、設けられたフィールドに、保険会社の名前７０４および保険アカウント番号７０６を入力する。顧客は、保険をかけられる運送品の価値７０８を任意に入力してもよい。注文が提出されるときには、ホスト管理システム３００は、その特定の保険会社名７０４が、ホスト管理システム３００で設定された保険アカウントを有するか否かをチェックする。有さない場合には、ホスト管理システム３００は、確認活動を実施しない。有する場合には、ホスト管理システム３００は、まず保険アカウント選好をチェックして、顧客の運送注文が、その保険会社７０４のいずれの選好に衝突するかを確かめる。第２に、ホスト管理システム３００は、保険会社７０４のクライアントシステム３３０を通して直接保険会社に問い合わせ、保険会社７０４に、顧客注文およびその保険アカウントとのいずれの衝突かを知らせ、保険会社７０４が保険を拒否するか否かを判断する。保険会社７０４が保険を拒否する場合には、運送注文が完了する前に顧客にこれが知らされ、次いで、他の保険提供業者から保険を購入するオプションが与えられる。
【０１１２】
顧客が好ましい金融提供業者を有する場合、顧客は、設けられたフィールドに、金融会社名７１０および金融会社アカウント番号７１２を入力する。注文が提出されるときには、ホスト管理システム３００は、その特定の金融会社名７１０が、ホスト管理システム３００で設定された金融アカウントを有するか否かをチェックする。有さない場合には、ホスト管理システム３００は、確認活動を実施しない。有する場合には、ホスト管理システム３００は、まず金融アカウント選好をチェックして、顧客の運送注文が、その金融会社の選好のいずれに衝突するかを確かめる。第２に、ホスト管理システム３００は、金融会社７１０のクライアントシステム３３０を通して直接金融会社７１０に問い合わせ、金融会社７１０に、顧客注文およびその金融アカウントとのいずれの衝突かを知らせ、金融会社７１０が融資を拒否するか否かを判断する。金融会社７１０が融資を拒否する場合には、運送注文が完了する前に顧客にこれが知らされ、他の金融会社提供業者から融資を加えるオプションが与えられるか、または、ホスト管理システム３００は顧客には金融会社７１０として作用してもよいため、存在するのであれば、クレジットカードまたはホスト管理システムでの顧客アカウント等の支払い情報を提供する能力が与えられる。
【０１１３】
顧客が好ましい関税取扱提供業者を有する場合、顧客は、設けられたフィールドに、関税取扱会社名７１４および関税取扱アカウント番号７１６を入力する。注文が提出されるときには、ホスト管理システム３００は、その特定の関税取扱会社名７１４が、ホスト管理システム３００で設定された関税取扱アカウントを有するか否かをチェックする。有さない場合には、ホスト管理システム３００は、確認活動を実施しない。有する場合には、ホスト管理システム３００は、まず関税取扱アカウント選好をチェックして、顧客の運送注文が、関税取扱アカウント選好のいずれに衝突するかを確かめる。第２に、ホスト管理システム３００は、関税取扱会社７１４のクライアントシステム３３０を通して直接関税取扱会社７１４に問い合わせ、関税取扱会社７１４に、顧客注文およびその関税取扱アカウントとのいずれの衝突を知らせ、関税取扱サービス提供業者７１４が関税取扱およびサービスを提供するのを拒否するか否かを判断する。関税取扱提供業者７１４が保険を拒否する場合には、運送注文が完了する前に顧客にこれが知らされ、他の関税取扱提供業者からの関税取扱サービスのオプションが与えられる。
【０１１４】
顧客は、見積もり要求を出すことによって、保険７２４、金融７２５および／または関税取扱７２６の見積もりを望むことを示すよう選択することもできる。顧客がいずれの見積もり要求を選択する場合には、ホスト管理システム３００は、そのようなサービス用のアカウントを問い合わせ、運送注文が完了する前に顧客に提供し、顧客から確認を得る。そのようなサービスの料金は、下記により詳細に検討されるように、運送注文用に顧客に呈される完了スクリーンに表れる。
【０１１５】
顧客が、運送要求の支払いのいずれの金融アカウントに優先したいか、または、顧客が金融アカウントを有さない場合に支払いを提供したいならば、顧客は、クレジットカードを使用することを選ぶことができる。顧客は、クレジットカード番号７１８、クレジットカードタイプ７２０およびクレジットカードの満了日７２２を入力する。顧客が、支払い優先情報と、金融会社名７１０および金融会社アカウント番号７１２との両方を入力する場合には、ホスト管理システム３００は、運送注文が処理のために提出された後に、顧客はどちらの支払いを使用したいかを確認する。
【０１１６】
最後に、顧客は、提出ボタン７２７を選択することによって、ホスト管理システム３００によって処理するために運送注文を提出する。ホスト管理システム３００は、次いで運送注文を処理し、上述のすべてのサービスを提供して、運送を実施することができるか否かを判断し、できるのであれば、上述のように、注文の前に顧客によって確認する必要がある変更が、もしあるとすれば、完了することができる。
【０１１７】
顧客運送注文入力処理が特定の注文で上記のように説明されたが、顧客は、いずれの特定の注文で運送注文情報を入力する必要はなく、入力選択のすべてまたはいくつかは、ホスト管理システム３００の特徴セットに依存して利用可能であってもよいことに注意されたい。顧客運送注文入力スクリーンのすべての情報フィールドは、ホスト管理システム３００が運送注文を出して首尾よく遂行するために、満たされる必要があってもなくてもよいことにも注意されたい。
【０１１８】
顧客運送注文完了
顧客運送注文入力が、ホスト管理システム３００、および、金融、保険、関税取扱、運送用の特別な取扱および運送オプション等の顧客からのさらなる入力を必要とするすべての食い違い、特徴および他のサービスによって処理された後に、ホスト管理システムは、最終確認のために運送注文の要旨を顧客に与える。図１５は、ホスト管理システム３００によって顧客へ呈される顧客運送注文完了スクリーンを例示する。
【０１１９】
原産地７５０および目的地７５２が顧客に示され、そのため、顧客は、この情報が正しいことを確実にすることができ、特に、この情報は、運送注文遂行処理および顧客運送注文入力スクリーンに入力されたいずれの特別な顧客要求のため、ホスト管理システム３００によって変更されているからである。
【０１２０】
保険会社が運送品に保険をかける場合には、保険会社名７５４および保険会社アカウント番号７５６が顧客にディスプレイされる。金融会社を使用して運送品に融資する場合には、金融会社名７６３および金融会社アカウント番号７６４が顧客にディスプレイされる。先に説明したように、顧客またはホスト管理システム３００のいずれかによって選択された運送提供業者７５８が顧客にディスプレイされ、運送参照番号７６０が顧客にディスプレイされる。特に、顧客運送注文入力スクリーンに顧客によって入力された特別な取扱パラメータに従い、運送の特別な取扱に必要な特別なコンテナの場合には、コンテナ提供業者７６５、および、コンテナ提供業者参照番号７６６が顧客にディスプレイされる。コンテナ提供業者参照番号７６６は、下記により詳細に検討されるように、この参照番号７６６は、運送注文にリンクされるため、特に有用である。該当する場合は、先に説明したように顧客の要求に応答して顧客またはホスト管理システム３００のいずれかによって選択された関税取扱提供業者７６７および関税取扱提供業者参照番号７６８が顧客にディスプレイされる。関税取扱提供業者参照番号７６８は、下記により詳細に検討されるように、この参照番号７６８が運送注文にリンクされるため、運送中に関税取扱に何らかの問題がある場合に参照として使用するのに特に有用である。
【０１２１】
顧客運送注文入力に応答してホスト管理システム３００によって判断されたルートづけ情報７６１が顧客にディスプレイされ、そのため顧客は、必要に応じてルートづけ情報を見ることができる。この情報もまた、下記により詳細に検討されるように、運送のスケジューリングに使用され、そのためホスト管理システム３００は、運送品がその旅程中に時間通り運送されているか否かを判断することができる。この情報は、下記により詳細に検討されるように、追跡に特に有用である。場所を含むいずれの特別な集荷および／または引き渡し情報７６２が顧客にディスプレイされ、顧客が運送注文を変更したい場合に備えて、運送注文入力が完了する前に、そのような情報が顧客によって理解されるのを確実にする。
【０１２２】
最後に、該当する場合は、運送注文に必要なすべてのサービスのコストが、箇条書きで顧客にディスプレイされる。運送提供業者コスト７７０、コンテナ提供業者コスト７７２、保険コスト７７４、金融コスト７７６および関税コスト７７８が顧客にディスプレイされ、合計コスト７８０は、上述の明細に記したコストの合計である。顧客は、確認ボタン７８２を選択することによって、運送注文を確認することができ、その場合、運送注文が出され、運送がシステム内で、通常は開始点であるその第１の注文点に到達するときに、ホスト管理システム３００注文を処理する。ホスト管理システム３００は、運送に関連する運送追跡番号を規定する。運送追跡番号は、顧客にディスプレイされる。運送追跡番号を使用して、すべての第三者サービス提供業者を特定の顧客運送に関連づけ、そのため、コンテナ情報を特定の運送注文にリンクすることができる。
【０１２３】
顧客は、修正ボタン７８４を選択することによって、運送注文を修正することができ、その場合、ホスト管理システム３００は顧客を図１４の顧客運送注文入力スクリーンへ戻らせ、顧客が運送注文を修正することを可能にする。顧客は、取り消しボタン７８６を選択することによって、運送注文を取り消すことができ、その場合、ホスト管理システム３００は、顧客注文に関するすべての情報を除去し、ホスト管理システム３００は、顧客を図１３のシステム選択スクリーンに戻らせる。
【０１２４】
モニタリング
図１６は、ホスト管理システム３００のモニタリング特徴のフローチャートを例示する。ホスト管理システム３００モニタリング処理は、下記により詳細に検討されるように、必要な運送品に対するいずれの調整および通知を実施するために、ホスト管理システム３００が、運送品を含むコンテナ１０の場所を受け取ることによって、そのルート中に運送品を頻繁にモニタする処理である。
【０１２５】
処理はスタートし（ステップ８００）、ホスト管理システム３００は、コンテナ１０からモニタリング、場所および状態情報を受け取る（ステップ８０２）。運送用に使用されたコンテナ１０は、追跡装置１００を使用して、その場所および状態をホスト管理システム３００へ通信するようにプログラムされる。ホスト管理システム３００は、コンテナ情報をデータ格納３０６に格納し、データ格納３０６をサーチして、コンテナＩＤを顧客運送注文にリンクする（ステップ８０４）。
【０１２６】
ホスト管理システム３００は、コンテナ１０の場所および時間を運送注文の運送スケジュールと比較して、コンテナ１０がスケジュール通りか否かを判断する（ステップ８０６）。コンテナ１０がスケジュール通りではない場合には、ホスト管理システム３００はコンテナ１０がスケジュールに先んじているか否かを判断する（ステップ８０８）。そうであれば、ホスト管理システム３００は、スケジュールより遅れているホスト管理システム３００の別のコンテナ１０が進めるように、コンテナ１０が依然としてスケジュール通り目的地に到着するような方法で、コンテナ１０を遅らせることができるか否かを判断する（決定８１２）。そのようにして、コンテナ１０は再ルートづけられ（ステップ８１６）、処理は続行する（決定８１８、下記に検討される）。コンテナ１０を遅らせることができない場合、且つ／または、別のコンテナ１０がスケジュール通りに戻るように進められない場合には、処理は先へ進む（決定８１８、下記に検討される）。コンテナ１０がスケジュールに先んじていない場合には（決定８０８）、これは、コンテナ１０がスケジュールより遅れていることを意味し、ホスト管理システム３００は、コンテナ１０が再ルートづけられスケジュールを元に戻すことができるか否かを判断する（ステップ８１０）。できない場合は、処理は続行する（決定８１８、下記に検討される）。できる場合は、ホスト管理システム３００はコンテナ１０のスケジュールに変更を加え、処理は続行する（決定８１８、下記に検討される）。
【０１２７】
ホスト管理システム３００は次に、コンテナ情報、および、これを顧客運送注文入力および特別な取扱情報と比較することに基づいて、コンテナ１０の状態が何の問題も示さないか否かを判断する（決定８１８）。たとえば、コンテナ１０の温度システムは故障することもあり、顧客運送注文入力が、運送に必要な特別な温度取扱を挙げることもある。コンテナ１０の状態が顧客運送注文および／または特別な取扱要求に従っていない場合は、ホスト管理システム３００は、問題を解決するためにコンテナ１０を再ルートづけることができるか否かを判断する（決定８２０）。たとえば、コンテナ１０はその温度システムが故障することもあるが、コンテナ１０は、日付に依存してより北にまたはより南に再ルートづけられてもよく、または、コンテナ１０の温度故障に役立ち且つ／またはこれを解決するために、コンテナ１０の現在の温度よりも低い温度または高い温度が必要である。再ルートづけが問題を解決しない場合には、処理は続行する（決定８２４、下記に検討される）。再ルートづけが問題を解決し且つ／またはこれに役立つ場合には、ホスト管理システム３００は、コンテナ１０のルートを変更して、保険、金融、運送提供業者、運送コンテナ提供業者および関税取扱提供業者を含むコンテナ１０の運送にリンクされたすべての第三者を扱い且つ／またはこれに通知し、そのため、運送注文は、将来のモニタリングおよび取扱のためにそれに応じて変更される。
【０１２８】
ホスト管理システム３００は、次に、コンテナ１０の場所が最終目的地であるか否かを判断する（決定８２４）。そうであれば、ホスト管理システム３００は、請求情報を含む運送の要旨をまとめ、それを、顧客および運送へのすべてのリンクされた第三者に送る準備がされ（ステップ８２６）、続行する（ステップ８２６）。そうでなければ、処理は続行し、ホスト管理システム３００は、状態通知、および、スケジューリングまたは運送注文のいずれの変更を、すべてのリンクされた第三者のクライアントシステム３３０へ、彼らのアカウントの連絡情報にしたがって、送り出す（ステップ８２８）。リンクされた第三者は、このような状態通知に応答してホスト管理システム３００へ応答またはさらなる指令を返してもよく、その場合、ホスト管理システム３００は、そのような応答を格納し、必要ないずれの活動を実行し（ステップ８３０）、処理は終了する（ステップ８３４）。次のコンテナ情報がコンテナ１０からホスト管理システム３００によって受け取られるときに、処理が再スタートする（ステップ８００）。
【０１２９】
追跡
顧客および顧客運送注文へリンクされた第三者は、コンテナ１０の情報を含む運送および運送の状態を追跡することが可能である。ホスト管理システム３００にアカウントを有する各第三者サービス提供業者は、図１３の顧客に示されるものに類似した、ホスト管理システム３００に入るアカウント番号およびパスワードを有する。顧客がホスト管理システム３００の追跡特徴部に入ることを望む場合は、顧客は図１３の追跡ボタン６３２を選択する。
【０１３０】
図１７は、本発明の追跡特徴部を例示する。処理はスタートし（ステップ８５０）、顧客または第三者サービス提供業者（このセクションでは「ユーザ」と称される）は、クライアントシステム３３０を使用してアカウント番号およびパスワードを入力することによってホスト管理システム３００にログインする（ステップ８５２）。ホスト管理システム３００は、パスワードを認証し検証して正しいか否かを決定する（決定８５４）。パスワードが正しくない場合には、ホスト管理システム３００は、ユーザにエラーメッセージをディスプレイし、ユーザが正しいパスワードを再入力するのを可能にする（ステップ８５６）。パスワードが正しい場合には、ホスト管理システム３００はユーザから特定の状態が必要とされているか否かを判断する。たとえば、ユーザは特定の運送に関する状態情報を求めてもよく、その場合、ユーザは運送用に追跡番号を入力する。運送を遂行するのに２つ以上のコンテナ１０を使用する場合には、運送追跡番号は、使用されているすべてのコンテナ（単／複）１０の状態を得る。ユーザは、そのようなユーザにリンクされる進行中のすべての運送の状態を求めてもよい。顧客にリンクされた運送は、ホスト管理システム３００の顧客によって出された運送である。第三者サービス提供業者にリンクされた運送は、先に検討したように、そのような提供業者が顧客の運送で役割を果たすのを可能にすることによって、顧客がそのような提供業者へリンクした運送である。
【０１３１】
ホスト管理システム３００は情報をまとめて、これをクライアントシステム３３０へ伝える（ステップ８６０）。さらに、ホスト管理システム３００は、ユーザが顧客である場合、他のいずれのサービスを売ることができるか否かを判断する（ステップ８６２）。たとえば、運送注文入力がなされたときに顧客は保険を購入しないように決定してもよいが、顧客は、運送が開始してから、保険を購入することを望んでもよい。ホスト管理システム３００は、運送およびその状態を確認した後に、ホスト管理システム３００にアカウントを有する保険会社に問い合わせて、そのような保険会社が、運送の状態および目的地に到着するまでの残りの旅程に基づいて保険の見積もりを提供することを望むか否かを問い合わせることができる。ホスト管理システム３００が保険会社に、運送品の状態および場所を正確に且つ確実に与えることができるため、保険会社は、運送が開始する前よりも既に進行している運送により低いレートを提供することができる。運送サービスは通常、運送が開始した後に顧客が保険を購入することが可能ではないのに対し、運送が行われた後に顧客が保険を購入することができてもよいため、この特徴は顧客にも有利である。ホスト管理システム３００が、売ることができるいずれの追加サービスをまとめた後に（ステップ８６２）、ホスト管理システム３００は、顧客が、クライアントシステム３３０の使用を通して、そのようなサービスを購入したか否かを判断する（決定８６４）。
【０１３２】
顧客が追加サービスを購入することを望まない場合には、処理は終了する（ステップ８６８）。顧客が追加サービスを購入することを望む場合には、それが、自発的なものであろうと、ホスト管理システム３００による示唆的販売に対する応答であろうと、ホスト管理システム３００は、そのような追加サービスを処理し、メモリ内の運送記録を更新し、且つ、サービス提供業者に対してサービスのそのような追加購入を確認する（ステップ８６６）。サービス提供業者は、先に説明したように、追跡および通知目的のために、運送注文にリンクされ、追跡処理は終了する（ステップ８６８）。
【０１３３】
報告
顧客は、先に図１３で検討されたシステム選択スクリーンの運送特徴部に入ることによって、運送に関する報告を得ることができる。顧客は、システムに首尾よくログインした後、報告ボタン６３４を選択する。ホスト管理システム３００は次いで、顧客がいずれの数の報告から選択するのを可能にする。そのような報告は、データ格納３０６に格納された運送に関する情報を含む。報告のフォーマットは、ホスト管理システム３００を通って出されたすべての運送を含んでもよく、完了した運送のみ、または進行中の運送であってもよい。報告は、先に図１４で検討された顧客運送注文入力スクリーンのいずれのフィールドによってアルファベット順にまたは年代順に格納されてもよい。報告は、クライアントシステム３３０に顧客によって電子的にディスプレイすることができ、且つ／または、印刷することができる。
【０１３４】
加えて、アカウントを有する第三者サービス提供業者は、上記に検討した顧客と同一のやり方で、運送注文に関与する報告を得ることができる。ホスト管理システム３００は、データ格納３０６の運送記録をサーチして、どの運送が第三者サービス提供業者に関与し且つ／または関与したかを確認して、第三者サービス提供業者が関与した記録に対してのみアクセスできるようにする。
【０１３５】
請求
図１８は、顧客の運送品が最終目的地に到達したときに、顧客に請求しインボイスを送るための、図１６のタスク（ステップ８２６）を例示する。処理はスタートし（ステップ９００）、ホスト管理システム３００は、運送用のコンテナ１０識別を使用してデータ格納３０６の顧客運送注文の履歴を調べる。次に、ホスト管理システム３００は、顧客用の請求情報を調べ、請求の方法を含む請求計画を判断する。先に説明したように、顧客は、運送の支払いに金融会社を使用してもよく、その場合、ホスト管理システム３００は、その特定の金融会社へインボイスを送る。インボイスの額は、先に図１２で検討された顧客運送注文検証の一部として顧客へ与えられた元々のコスト概算とは異なってもよい。元々決定されたコストより少ないのであれ多いのであれ、運送の合計コストを変更したホスト管理システム３００および／または顧客によって、注文への変更がなされていてもよい。
【０１３６】
顧客が、運送サービスの支払いに、クレジットの使用による、または、金融会社等の第三者サービス提供業者によるアレンジをした場合（決定９０６）、ホスト管理システム３００は、そのような第三者サービス提供業者へ請求書を送付し（ステップ９０７）、処理は終了する（ステップ９１２）。ホスト管理システム３００は、ホスト管理システム３００が顧客またはその金融業者から首尾よく支払いを受け取るときに、第三者サービス提供業者の各々に支払う能力を提供してもよい。ホスト管理システム３００は、第三者サービス提供業者のアカウントへ資金を電信為替で送ることによって、第三者サービス提供業者の各々へ支払いを送る。あるいは、ホスト管理システム３００は、書面の支払いを発行することもできる。支払いは、方法に関係なく、顧客運送追跡番号を参照し、そのため、第三者サービス提供業者は、組織化および調停目的で設けられた特別なサービスへそのような支払いをリンクすることができる。
【０１３７】
顧客が支払い自体を提供しないか、または、第三者サービス提供業者によらない場合（決定９０６）、ホスト管理システム３００は、顧客に運送ごとに請求するか、または、インボイスによって定期的なベースによって請求するかを判断する（決定９０８）。顧客請求が運送ごとの場合、ホスト管理システム３００は、顧客用の請求書を準備し、支払いのためにそのような請求書を顧客へ送付し（ステップ９１０）、処理は終了する（ステップ９１２）。顧客が定期的なベースで請求される場合には、ホスト管理システム３００は、顧客の現行のインボイスへ運送を加え、そのため、そのようなインボイスは、請求サイクルの最後に顧客へ送付することができる（ステップ９１１）。処理は次いで終了する（ステップ９１２）。
【０１３８】
また、第三者サービス提供業者は、そのクライアントシステム３３０の使用によって、サービス用の支払いが提供されていないかをホスト管理システム３００に問い合わせることができる。第三者サービス提供業者は、ホスト管理システム３００を通して出された顧客運送にサービスが提供されたか否かを判断する自己のやり方を有してもよい。第三者サービス提供業者は、顧客運送追跡番号を提供することによって、ホスト管理システム３００に問い合わせる。ホスト管理システム３００はその記録をチェックして、顧客運送追跡番号に基づいて、要求している第三者サービス提供業者が実際に特定の顧客運送注文へサービスを提供したか否かを判断する。提供していれば、ホスト管理システム３００は、第三者サービス提供業者に、そのクライアントシステム３３０を通して、そのような運送品が最終目的地に到着した日付を含む運送の詳細、および、顧客が支払いをホスト管理システム３００へ提供したか否かを送る。
【０１３９】
顧客は、先に図１３で検討されたシステム選択スクリーンの請求に入ることによって、その請求記録にアクセスすることもできる。顧客は、システムに首尾よくログインした後、請求ボタン６３６を選択する。ホスト管理システム３００は、次いで、その特定の顧客用の全運送品についての請求現状を見出し、それを顧客にディスプレイする。顧客は、全運送、完了した運送品のみ、または進行中の運送品を見るオプションを有する。報告は、このように編成されてもよい。顧客は、いずれの請求書が未払いか、各々に対する期間および期限も判断することができる。
【０１４０】
アカウント修正
顧客は、図１３に例示されたシステム選択スクリーンで、アカウント修正ボタン６３８を選択して、自分のアカウントを修正することもできる。顧客がこのオプションを選択するときには、ホスト管理システム３００は、データ格納３０６から顧客アカウントを検索する。
【０１４１】
スクリーン上のフィールドが、データ格納３０６に格納された顧客アカウント用の現在情報で既に満たされている場合を除き、顧客アカウントは、図６に例示された顧客アカウント設定スクリーンのようにディスプレイされる。顧客は次いでいずれのフィールドを選択して、自分のアカウントのどのフィールドをも修正することができる。顧客が自分のアカウントの修正を終了した後に、顧客は、図６で上述されたように、提出ボタン４４６を選択し、修正された顧客アカウント情報が、将来の参照のためにデータ格納３０６に格納される。
【０１４２】
ホスト管理システム３００は、コンテナ１０へおよびコンテナ１０からのリアルタイム２方向通信のため、顧客がホスト管理システム３００にログインしてコンテナ１０の温度および通過中のいずれのときを調整することを可能にする。加えて、コンテナ１０は、コンテナ１０の安全をホスト管理システム３００にリアルタイムで通信することができ、そのため、コンテナ１０のいずれの破損もホスト管理システム３３０に通信され、それは次いで、顧客および／または第三者サービス提供業者によって確認にすることができる。
【図面の簡単な説明】
【図１】
図１はコンテナの斜視図である。
【図２】
図２は本発明のコンテナに取り付けられた追跡装置の概略例示である。
【図３】
図３はコンテナの地理的位置を判断するために追跡装置によって使用される全地球測位システムの概略表示である。
【図４】
図４はホスト管理システムの概略表示である。
【図５】
図５はホスト管理システムとクライアントシステムとの間のデータ通信の概略表示である。
【図６】
図６は顧客アカウント設定スクリーンの概略表示である。
【図７】
図７は保険会社アカウント設定スクリーンの概略表示である。
【図８】
図８は運送用コンテナ会社アカウント設定スクリーンの概略表示である。
【図９】
図９は運送提供業者アカウント設定スクリーンの概略表示である。
【図１０】
図１０は金融会社アカウント設定スクリーンの概略表示である。
【図１１】
図１１は関税取扱提供業者アカウント設定スクリーンの概略表示である。
【図１２】
図１２は顧客ログインスクリーンの概略表示である。
【図１３】
図１３はシステム選択スクリーンの概略表示である。
【図１４】
図１４は顧客運送注文入力スクリーンの概略表示である。
【図１５】
図１５は顧客運送注文完了スクリーンの概略表示である。
【図１６】
図１６は追跡の概略表示である。
【図１７】
図１７はモニタリングの概略表示である。
【図１８】
図１８は請求の概略表示である。
【図２】
2004504993.tif 000004
【図４】
2004504993.tif 000005
【図５】
2004504993.tif 000006
【図６】
2004504993.tif 000007
【図７】
2004504993.tif 000008
【図８】
2004504993.tif 000009
【図９】
2004504993.tif 000010
【図１０】
2004504993.tif 000011
【図１１】
2004504993.tif 000012
【図１２】
2004504993.tif 000013
【図１３】
2004504993.tif 000014
【図１４】
2004504993.tif 000015
【図１５】
2004504993.tif 000016
【図１６】
2004504993.tif 000017
【図１７】
2004504993.tif 000018
【図１８】
2004504993.tif 000019
【国際公開パンフレット】
2004504993.tif 000020
2004504993.tif 000021
2004504993.tif 000022
2004504993.tif 000023
2004504993.tif 000024
2004504993.tif 000025
2004504993.tif 000026
2004504993.tif 000027
2004504993.tif 000028
2004504993.tif 000029
2004504993.tif 000030
2004504993.tif 000031
2004504993.tif 000032
2004504993.tif 000033
2004504993.tif 000034
2004504993.tif 000035
2004504993.tif 000036
2004504993.tif 000037
2004504993.tif 000038
2004504993.tif 000039
2004504993.tif 000040
2004504993.tif 000041
2004504993.tif 000042
2004504993.tif 000043
2004504993.tif 000044
2004504993.tif 000045
2004504993.tif 000046
2004504993.tif 000047
2004504993.tif 000048
2004504993.tif 000049
2004504993.tif 000050
2004504993.tif 000051
2004504993.tif 000052
2004504993.tif 000053
2004504993.tif 000054
2004504993.tif 000055
2004504993.tif 000056
2004504993.tif 000057
2004504993.tif 000058
2004504993.tif 000059
2004504993.tif 000060
2004504993.tif 000061
2004504993.tif 000062
2004504993.tif 000063
2004504993.tif 000064
2004504993.tif 000065
2004504993.tif 000066
2004504993.tif 000067
2004504993.tif 000068
2004504993.tif 000069
2004504993.tif 000070
2004504993.tif 000071
2004504993.tif 000072
2004504993.tif 000073
2004504993.tif 000074
2004504993.tif 000075
2004504993.tif 000076
2004504993.tif 000077
2004504993.tif 000078
2004504993.tif 000079
2004504993.tif 000080
2004504993.tif 000081
2004504993.tif 000082
2004504993.tif 000083
2004504993.tif 000084
2004504993.tif 000085
2004504993.tif 000086
2004504993.tif 000087
2004504993.tif 000088
2004504993.tif 000089
2004504993.tif 000090
2004504993.tif 000091
2004504993.tif 000092
2004504993.tif 000093
2004504993.tif 000094
2004504993.tif 000095
2004504993.tif 000096
2004504993.tif 000097
2004504993.tif 000098
2004504993.tif 000099
2004504993.tif 000100
2004504993.tif 000101
2004504993.tif 000102
2004504993.tif 000103
2004504993.tif 000104
2004504993.tif 000105
2004504993.tif 000106
2004504993.tif 000107
2004504993.tif 000108
2004504993.tif 000109
2004504993.tif 000110
2004504993.tif 000111
2004504993.tif 000112
2004504993.tif 000113
2004504993.tif 000114
2004504993.tif 000115
2004504993.tif 000116
2004504993.tif 000117
【国際公開パンフレット（コレクトバージョン）】
2004504993.tif 000118
2004504993.tif 000119
【国際調査報告】
2004504993.tif 000120
2004504993.tif 000121
2004504993.tif 000122